(57)【要約】【課題】演出効果の高い発光演出が可能な遊技機を提供すること。【解決手段】パチスロ機は、透光性及び偏光性を有するサイドレンズ３１０ｂと、  当該サイドレンズ３１０ｂの内側に設けられ、個別に発光可能な第１のＬＥＤ素子３２０及び第２のＬＥＤ素子３２０を含む複数のＬＥＤ素子３２０と、第１のＬＥＤ素子３２０の光を導光する、第１のＬＥＤ素子３２０側からサイドレンズ３１０ｂ側に延設された第２〜第５右側導光体３１４ｂ〜３１４ｅと、第２のＬＥＤ素子３２０の光を導光する、第２のＬＥＤ素子３２０側からサイドレンズ３１０ｂ側に延設された第１右側導光体３１４ａと、を備え、第２〜第５右側導光体３１４ｂ〜３１４ｅの端面とサイドレンズ３１０ｂとの距離は、第１右側導光体３１４ａの端面とサイドレンズ３１０ｂとの距離よりも短い。【選択図】図１２
2018011814.tif 000002
【特許請求の範囲】
【請求項１】
透光性及び偏光性を有する第１の外装部と、
当該第１の外装部の内側に設けられ、個別に発光可能な第１の発光手段及び第２の発光手段を含む複数の発光手段と、
前記第１の発光手段の光を導光する、前記第１の発光手段側から前記第１の外装部側に延設された第１の導光部と、
前記第２の発光手段の光を導光する、前記第２の発光手段側から前記第１の外装部側に延設された第２の導光部と、を備え、
前記第１の導光部の端面と前記第１の外装部との距離は、前記第２の導光部の端面と前記第１の外装部との距離よりも短いことを特徴とする遊技機。
【請求項２】
前記複数の発光手段は、第３の発光手段を含み、
当該第３の発光手段の光を、前記第１の導光部の導光方向に略直交する方向で導光する第３の導光部と、
前記第３の導光部により導光された光が到達する第２の外装部と、
を備え、
前記第１の発光手段、前記第２の発光手段及び前記第３の発光手段は、一の基板上に、発光方向が略同一方向となるように配設され、
前記第３の導光部は、前記第１の発光手段からの光及び前記第２の発光手段からの光を前記第２の外装部に向かわないように仕切る仕切部であることを特徴とする請求項１に記載の遊技機。
【請求項３】
前記第１の外装部における前記第１の導光部に対向する部位には、前記第１の導光部の端面に対応するように他の位置とは異なる加工が施されたことを特徴とする請求項１又は２に記載の遊技機。
【発明の詳細な説明】
【技術分野】
【０００１】
本発明は、パチンコ機、パチスロ機などの遊技機に関する。
【背景技術】
【０００２】
従来、パチンコ機、パチスロ機と称される遊技機が知られている。パチスロ機においては、メダルやコインなどの遊技媒体が投入され、スタートレバーが操作（以下、「開始操作」という。）されると、複数の図柄がそれぞれの表面に配された複数のリールの回転が開始し、ストップボタンが操作されると、複数のリールの回転が停止し、その結果表示された図柄の組合せに応じてメダルやコインが払い出される。パチンコ遊技機においては、遊技者が発射装置により遊技媒体である遊技球を遊技領域に発射し、遊技領域に設けられた入賞口等に遊技球が入賞すると、所定の数の遊技球が払い出される。遊技者は、所持する遊技媒体を増やすことを目的として遊技を継続して行う。
【０００３】
パチンコ機、パチスロ機と称される遊技機においては、遊技者が対向する遊技機本体の前面側の周囲に発光装置を配置し、発光装置の発光態様を変化させることによって遊技の雰囲気を盛り上げることが一般的に行われている。また、発光装置による演出効果を高めるために、発光装置に対して様々な工夫が施されている。
【０００４】
例えば、特許文献１に記載された技術によれば、複数個の発光体においてそれぞれ、発光体と導光部との間隔が異なる配置とすることによって、簡単な構成で変化に富んだ演出性を発揮できる、という技術について記載されている。
【先行技術文献】
【特許文献】
【０００５】
【特許文献１】特開２００３−５２９１４号公報
【発明の概要】
【発明が解決しようとする課題】
【０００６】
しかしながら、特許文献１に記載された技術においては、複数の発光体の光が、最前方において面一に形成された発光表示部に導光される。このため、発光演出のコントラスト差を大きく出すことはできず、高い演出効果を望めないおそれがある。
【０００７】
本発明は、上述の問題点に鑑みてなされたものであり、演出効果の高い発光演出が可能な遊技機を提供することを目的とする。
【課題を解決するための手段】
【０００８】
前記目的を達成するため、本発明は、次に記載する構成を備えている。
【０００９】
透光性及び偏光性を有する第１の外装部（例えば、サイドレンズ３１０ｂ）と、
当該第１の外装部の内側に設けられ、個別に発光可能な第１の発光手段（例えば、第２グループ〜第５グループのＬＥＤ素子３２０）及び第２の発光手段（例えば、第１グループのＬＥＤ素子３２０）を含む複数の発光手段と、
前記第１の発光手段の光を導光する、前記第１の発光手段側から前記第１の外装部側に延設された第１の導光部（例えば、第２〜第５右側導光体３１４ｂ〜３１４ｅ）と、
前記第２の発光手段の光を導光する、前記第２の発光手段側から前記第１の外装部側に延設された第２の導光部（例えば、第１右側導光体３１４ａ）と、を備え、
前記第１の導光部の端面と前記第１の外装部との距離は、前記第２の導光部の端面と前記第１の外装部との距離よりも短いことを特徴とする遊技機。
【００１０】
（１）によれば、第１の外装部が偏光性を有するため、発光手段の非点灯時は、内部が発光手段の発光時よりも見え難く、第１の発光手段及び第２の発光手段がともに発光したときには、第１の外装部から遠い第２の導光部の端面の方がより淡く、第１の外装部に近い第１の導光部の端面の方がより明るく発光させることができる。これにより、第１の発光手段による発光演出と第２の発光手段による発光演出とにおいてコントラスト差を大きく出すことが可能となる。また、第１の発光手段のみを発光させることでスポット的な発光演出を行ったり、第２の発光手段のみを発光させることで内部をぼんやりと発光させるなど、多様で演出効果の高い発光演出が可能となる。
【００１１】
（２）  （１）において、前記複数の発光手段は、第３の発光手段（例えば、第７グループのＬＥＤ素子３２０）を含み、
当該第３の発光手段の光を、前記第１の導光部の導光方向に略直交する方向で導光する第３の導光部（例えば、第２リフレクタ３３４）と、
前記第３の導光部により導光された光が到達する第２の外装部（例えば、サイドカラーレンズ３１０ｃ）と、を備え、
前記第１の発光手段、前記第２の発光手段及び前記第３の発光手段は、一の基板（例えば、ＬＥＤ基板３３０）上に、発光方向が略同一方向となるように配設され、
前記第３の導光部は、前記第１の発光手段からの光及び前記第２の発光手段からの光を前記第２の外装部に向かわないように仕切る仕切部であることを特徴とする遊技機。
【００１２】
（２）によれば、第３の導光部によって、第１の導光部の導光方向に直交する方向に導かれる光を発光する第３の発光手段を含めて、複数の発光手段を同一基板上でかつ発光方向が略同一方向となるように設けているため、生産コストの低減を図ることができる。また、第３の導光部が、第３の発光手段の光を第１の導光部の導光方向に直交する方向に導くため、第３の発光手段の発光方向とは異なる方向にある第２の外装部を点灯させることが可能になり、より高い演出効果を得ることができる。しかも、第３の導光部自体を、直交しない方向の光を入射させない仕切部としたため、別途、第１、第２の発光手段の光が第３の導光部側に漏れないように遮蔽するための壁部を備える必要がなくなり、その分、コスト低減を図ることができる。
【００１３】
（３）  （１）、（２）において、前記第１の外装部における前記第１の導光部に対向する部位には、前記第１の導光部の端面に対応するように他の位置とは異なる加工が施されたことを特徴とする遊技機。
【００１４】
（３）によれば、例えば、第１の外装部に凹凸をつけて偏光性をもたせ、第１の導光部の発光に対応する部分を平面にするというように外装部に加工を施したため、第１の発光手段による発光演出と第２の発光手段による発光演出とにおいて、よりコントラスト差を出すことが可能となる。
【発明の効果】
【００１５】
本発明によれば、演出効果の高い発光演出が可能な遊技機を提供することが可能になる。
【図面の簡単な説明】
【００１６】
【図１】本発明の実施の形態に係るパチスロ機の機能フローを示す図である。
【図２】本発明の実施の形態に係るパチスロ機の外部構造を示す全体斜視図である。
【図３】本発明の実施の形態に係るスピーカユニットの分解斜視図である。
【図４】本発明の実施の形態に係るスピーカカバーの放音孔の断面図である。
【図５】本発明の実施の形態に係るスピーカカバーにおける放音について説明する図である。
【図６】本発明の実施の形態に係るパチスロ機の電気的構成を示すブロック図である。
【図７】本発明の実施の形態に係るパチスロ機の主制御回路の構成を示すブロック図である。
【図８】本発明の実施の形態に係るパチスロ機の副制御回路の構成を示すブロック図である。
【図９】本発明の第２実施形態に係るパチスロ機の外部構造を示す全体斜視図である。
【図１０】本発明の第２実施形態に係るパチスロ機の外部構造を示す全体正面図である。
【図１１】上部発光演出ユニット２００の構成部品を示す分解図である。
【図１２】ベース板２０２に、スピーカ２０４Ｌ、２０４Ｒと、左ＬＥＤ基板２０６Ｌと、右ＬＥＤ基板２０６Ｒとを固定した状態を示す説明図である。
【図１３】左導光部２０８Ｌの外観を示す斜視図である。
【図１４】上カバー２１０の正面図である。
【図１５】下ドレープ２１６の正面図である。
【図１６】図１０のＸＸ線断面図である。
【図１７】側部発光演出ユニット３００Ｌの内部構造を示す図である。
【図１８】側部発光演出ユニット３００Ｌの内部構造を示す図である。
【図１９】側部発光演出ユニット３００Ｌの内部構造を示す図である。
【図２０】ＬＥＤ基板部３１２の構成を示す図である。
【図２１】ＬＥＤ基板部３１２の構成を示す図である。
【図２２】ＬＥＤ基板部３１２の構成を示す図である。
【図２３】第１〜第５右側導光体３１４ａ〜３１４ｅの外観構造を示す斜視図である。
【図２４】左側導光部３１６の構成を示す斜視図である。
【図２５】カバー３１０の構成を示す分解斜視図である。
【図２６】図１０のＹＹ線断面図である。
【図２７】側部発光演出ユニット３００の発光態様の一例を示す説明図である。
【発明を実施するための形態】
【００１７】
［第１実施形態］
本発明の第１実施形態について図面を参照しながら説明する。
＜パチスロ機の機能フロー＞
本発明の第１実施形態を示す遊技機であるパチスロ機について説明する。はじめに、図１を参照して、遊技機の実施の形態に係る機能フローについて説明する。図１は、本発明の実施の形態に係るパチスロ機の機能フローを示す図である。
【００１８】
本実施の形態のパチスロ機では、遊技を行うための遊技媒体としてメダルを用いる。なお、遊技媒体としては、メダル以外にも、コイン、遊技球、遊技用のポイントデータ又はトークン等を適用することもできる。
【００１９】
所定の開始条件として、遊技者によりメダルが投入され、スタートレバーが操作されると、予め定められた数値の範囲（例えば、０〜６５５３５）の乱数から１つの値（以下、乱数値）が抽出される。
【００２０】
内部抽籤手段は、抽出された乱数値に基づいて抽籤を行い、内部当籤役を決定する。この内部抽籤手段は、後述する主制御回路が担う。内部当籤役の決定により、後述の入賞判定ラインに沿って表示を行うことを許可する図柄の組合せが決定される。なお、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００２１】
また、スタートレバーが操作されると、複数のリールの回転が行われる。その後、遊技者により所定のリールに対応するストップボタンが押されると、リール停止制御手段は、内部当籤役とストップボタンが押されたタイミングとに基づいて、該当するリールの回転を停止する制御を行う。
【００２２】
パチスロ機では、基本的に、ストップボタンが押されたときから規定時間（１９０ｍｓｅｃ又は７５ｍｓｅｃ）内に、該当するリールの回転を停止する制御が行われる。本実施形態では、この規定時間内にリールの回転に伴って移動する図柄の数を「滑り駒数」と呼ぶ。規定時間が１９０ｍｓｅｃである場合には、滑り駒数の最大数を図柄４コマ分に定め、規定時間が７５ｍｓｅｃである場合には、滑り駒数の最大数を図柄１コマ分に定める。
【００２３】
リール停止制御手段は、入賞に係る図柄の組合せ表示を許可する内部当籤役が決定されているときは、通常、１９０ｍｓｅｃ（図柄４コマ分）の規定時間内に、その図柄の組合せが入賞判定ラインに沿って極力表示されるようにリールの回転を停止させる。また、リール停止制御手段は、例えば、第２種特別役物であるチャレンジボーナス（ＣＢ）及びＣＢを連続して作動させるミドルボーナス（ＭＢ）の動作時には、１つ以上のリールに対して、規定時間７５ｍｓｅｃ（図柄１コマ分）内に、その図柄の組合せが入賞判定ラインに沿って極力表示されるようにリールの回転を停止させる。さらに、リール停止制御手段は、遊技状態に対応する各種規定時間を利用して、内部当籤役によってその表示が許可されていない図柄の組合せが入賞判定ラインに沿って表示されないようにリールの回転を停止させる。
【００２４】
こうして、複数のリールの回転がすべて停止されると、入賞判定手段は、入賞判定ラインに沿って表示された図柄の組合せが、入賞に係るものであるか否かの判定を行う。この入賞判定手段は、後述する主制御回路が担う。入賞判定手段により入賞に係るものであるとの判定が行われると、メダルの払い出し等の特典が遊技者に与えられる。パチスロ機では、以上のような一連の流れが１回の遊技として行われる。このような内部抽籤手段、リール停止制御手段及び入賞判定手段は、後述する制御手段としての主制御回路が担う。
【００２５】
また、パチスロ機では、前述した一連の流れの中で、液晶表示装置などの画像表示装置により行う映像の表示、各種ランプにより行う光の出力、スピーカにより行う音の出力、あるいはこれらの組合せを利用して様々な演出が行われる。
【００２６】
スタートレバーが操作されると、上述した内部当籤役の決定に用いられた乱数値とは別に、演出用の乱数値（以下、演出用乱数値）が抽出される。演出用乱数値が抽出されると、演出内容決定手段は、内部当籤役に対応づけられた複数種類の演出内容の中から今回実行するものを抽籤により決定する。
【００２７】
演出内容が決定されると、演出実行手段は、リールの回転開始時、各リールの回転停止時、入賞の有無の判定時等の各契機に連動させて対応する演出を実行する。このように、パチスロ機では、内部当籤役に対応づけられた演出内容を実行することによって、決定された内部当籤役（言い換えると、狙うべき図柄の組合せ）を知る機会又は予想する機会が遊技者に提供され、遊技者の興味の向上を図ることができる。このような演出内容決定手段及び演出実行手段は、後述する演出制御手段としての副制御回路が担う。
【００２８】
＜パチスロ機の構造＞
次に、図２を参照して、本実施形態におけるパチスロ機の外観構造について説明する。
【００２９】
［外観構造］
図２は、本発明の実施の形態に係るパチスロ機の外部構造を示す全体斜視図である。
【００３０】
図２に示すように、パチスロ機１は、外装体２を備えている。外装体２は、リールや回路基板等を収容する筐体としてのキャビネット２ａと、キャビネット２ａに対して開閉自在に取付けられたフロントドア２ｂとを有している。キャビネット２ａの両側面には、把手２ｃが設けられている（図２では一側面の把手２ｃのみを示す）。この把手２ｃは、パチスロ機１を運搬するときに手をかける凹部である。
【００３１】
キャビネット２ａの内部には、複数（例えば２１個）の図柄が周方向に沿って所定の間隔をあけて表示された複数（本実施の形態では３つ）のリール３Ｌ，３Ｃ，３Ｒが収容されている。
【００３２】
以下、各リール３Ｌ，３Ｃ，３Ｒを、それぞれ左リール３Ｌ、中リール３Ｃ、右リール３Ｒという。各リール３Ｌ，３Ｃ，３Ｒは、円筒状に形成されたリール本体と、リール本体の周面に装着された透光性のシート材を有している。上述の複数（例えば２１個）の図柄は、前述のシート材の表面に描かれている。
【００３３】
フロントドア２ｂは、ドア本体９と、画像を表示する画像表示手段としての液晶表示装置１１とを備えている。ドア本体９は、ヒンジ（不図示）を用いてキャビネット２ａに開閉自在に取り付けられている。ヒンジは、パチスロ機１の前方からドア本体９を見た場合に、ドア本体９における左側の端部に設けられている。
ドア本体９の上部には、スピーカユニット１５０が設けられている。
【００３４】
（スピーカユニット）
ドア本体９の上部には、スピーカユニット１５０が設けられている。図３は、本発明の実施の形態に係るスピーカユニットの分解斜視図である。スピーカユニット１５０は、前面側に配置された保護部の一例であるスピーカカバー１６０と、スピーカカバー１６０の背面側に配置されたスピーカベース１７０と、スピーカベース１７０に取り付けられるスピーカ２３ＴＬ，２３ＴＲと、を備える。
【００３５】
スピーカカバー１６０は、前面側に膨出する曲面形状に形成された板状体のカバー本体１６１と、カバー本体１６１に形成されており、カバー本体１６１を前面側から背面側に貫通する複数の放音孔１６２と、を備える。
【００３６】
図４は、本発明の実施の形態に係るスピーカカバーの放音孔の断面図である。放音孔１６２は、前面側から見て円形状に形成されており、前面側に配された放音孔１６３と、放音孔１６３の背面側に配された集音部１６４と、を備える。
【００３７】
放音孔１６３は、前面側から背面側に向かって窄まる形状（例えば、円錐形状の頂点側を平面にした形状等）に形成されている。集音部１６４は、放音孔１６３の背面側に連通し、背面側から前面側に向かって窄まる形状（例えば、円錐形状の頂点側を平面にした形状等）に形成されている。このように、放音孔１６２は、放音孔１６３の背面側に集音部１６４が連通することで、メガホン形状に形成されている。
【００３８】
また、放音孔１６２の断面形状において、放音孔１６３の前面側への開口寸法ａ１は、集音部１６４の背面側への開口寸法ａ２よりも大きい。なお、本実施形態において、放音孔１６３の前面側への開口寸法ａ１とは、カバー本体１６１における放音孔１６２の中心位置の法線方向前面側から見た、放音孔１６２の中心位置を挟んで対向する前面側側縁上の２点（Ｐ１，Ｐ２）間の寸法である。また、集音部１６４の背面側への開口寸法ａ２とは、カバー本体１６１における放音孔１６２の中心位置の法線方向背面側から見た、放音孔１６２の中心位置を挟んで対向する背面側側縁上の２点（Ｐ３，Ｐ４）間の寸法である。
【００３９】
放音孔１６２の断面形状において、放音孔１６３の前面側への開口角度ｂ１は、集音部１６４の背面側への開口角度ｂ２よりも大きい。なお、本実施形態において、放音孔１６３の前面側への開口角度ｂ１とは、放音孔１６３の側壁に沿って前面背面方向に延びる第１仮想線Ｌ１と、放音孔１６２の中心線を挟んで第１仮想線と対向する線であり、放音孔１６３の側壁に沿って前面背面方向に延びる第２仮想線Ｌ２と、の角度である。また、集音部１６４の背面側への開口角度ｂ２とは、集音部１６４の側壁に沿って前面背面方向に延びる第３仮想線Ｌ３と、放音孔１６２の中心線を挟んで第３仮想線と対向する線であり、集音部１６４の側壁に沿って前面背面方向に延びる第４仮想線Ｌ４と、の角度である。
【００４０】
また、放音孔１６３の前面側側縁及び集音部１６４の背面側側縁は、面取り加工されている。これにより、スピーカ２３ＴＬ，２３ＴＲ（図３参照）から発生された音は、スムーズに集音部１６４において集音され、放音孔１６３において拡散されるので、放音効率をより向上可能となる。
【００４１】
図３に戻って、スピーカベース１７０は、ドア本体９（図２参照）に固定されるベース本体１７１と、ベース本体１７１に形成された前面背面方向に貫通する孔であり、スピーカ２３ＴＬ，２３ＴＲの振動板の外径と略同じ大きさの内径で形成され、スピーカ２３ＴＬ，２３ＴＲが配される位置にそれぞれ設けられた開口１７２と、開口１７２の側縁から前面側に延出し、前面側から開口１７２側に向かって窄まる形状の内部空間を形成しているホーン２２３と、を備える。
【００４２】
スピーカ２３ＴＬ，２３ＴＲは、後述する副制御回路１０１（図６参照）に制御され、演出内容に対応する効果音や楽曲等の音を出力する。なお、スピーカ２３ＴＬ，２３ＴＲは、ホーン型、コーン型及びドーム型等の任意の構成とすることができるが、特に、ホーン型とすることで、放音孔１６２のメガホン形状との相乗効果も期待でき、放音効率をより向上可能となる。
【００４３】
図５は、本発明の実施の形態に係るスピーカカバーにおける放音について説明する図である。図５における破線は、スピーカ２３ＴＬ，２３ＴＲ（図３参照）から発生された音の伝播経路を模式的に示す線である。スピーカ２３ＴＬ，２３ＴＲから発生された音（以下、発生音とも言う）は、背面側から前面側に伝播し、放音孔１６２を通って、スピーカカバー１６０の内部から外部に伝播する。放音孔１６３の背面側端部の開口範囲内を伝播する発生音は、そのまま放音孔１６２を通って、スピーカカバー１６０の内部から外部に伝播する。放音孔１６３の背面側端部の開口範囲外であって、集音部１６４の背面側端部の開口範囲内を伝播する発生音は、集音部１６４の側壁で反射して、放音孔１６３の窄まった部分（背面側端部の開口）を通って、スピーカカバー１６０の内部から外部に伝播する。このように、スピーカ２３ＴＬ，２３ＴＲから発生された音は、放音孔１６２の集音部１６４において集音され、拡散部の窄まった部分に向かって音圧が高まり、前面側に向かって拡散する。
【００４４】
図２に戻って、液晶表示装置１１は、例えば、前面側（パチスロ機１の正面側であり、遊技者に対向する面）遊技上の演出に係る画像や遊技に関する情報を表示するようフロントドア２ｂのドア本体９の上部に取り付けられている。液晶表示装置１１は、映像の表示による演出を実行する他、例えば遊技機のカスタマイズや遊技履歴等の遊技台情報を表示することができる。また、液晶表示装置１１には、遊技場の管理者の操作に応じて、ホールメニューが表示される。この場合、液晶表示装置１１をタッチパネルで構成し、ホールメニューにおいて、管理者が操作可能なボタン等を表示することができる。
【００４５】
また、フロントドア２ｂは、３つのリール３Ｌ，３Ｃ，３Ｒの一部を視認させることが可能な表示窓４を有する。表示窓４は、３つのリール３Ｌ，３Ｃ，３Ｒに対応する３つの左表示窓４Ｌ，中表示窓４Ｃ，右表示窓４Ｒによって構成されている。
【００４６】
これら表示窓４Ｌ，４Ｃ，４Ｒは、正面（遊技者側）から見て、３つのリール３Ｌ，３Ｃ，３Ｒの配置領域と重畳する位置に設けられ、かつ、３つのリールより手前（遊技者側）に位置するように設けられる。したがって、遊技者は、表示窓４Ｌ，４Ｃ，４Ｒを介して、表示窓４の背後に設けられた３つのリール３Ｌ，３Ｃ，３Ｒを視認することができる。
【００４７】
本実施形態では、表示窓４Ｌ，４Ｃ，４Ｒは、その背後に設けられた対応するリールの回転が停止したとき、各リールに描かれた複数種類の図柄のうち、連続して配置された３つの図柄を表示できる大きさに設定されている。すなわち、表示窓４Ｌ，４Ｃ，４Ｒの枠内には、リール毎に上段、中段及び下段の各領域が設けられ、各領域に１個の図柄が表示される。そして、本実施形態では、左リール３Ｌの中段領域、中リール３Ｃの中段領域、及び、右リール３Ｒの中段領域を結ぶラインを、入賞か否かの判定を行う入賞判定ラインとして定義する。
【００４８】
また、上述したリール３Ｌ，３Ｃ，３Ｒ及び液晶表示装置１１の前面側には、保護ガラス６が配設されている。これにより、液晶表示装置１１を遊技者が直接触れることができないようになっている。
【００４９】
ドア本体９の中央には、台座部１２が形成されている。この台座部１２には、遊技者の操作対象となる各種装置（メダル投入口１３、ＭＡＸベットボタン１４、１ベットボタン１５、スタートレバー１６、ストップボタン１７Ｌ，１７Ｃ，１７Ｒ、選択ボタン、決定ボタン等）が設けられている。
【００５０】
メダル投入口１３は、遊技者によって外部からパチスロ機１に投下されるメダルを受け入れるために設けられる。すなわち、メダル投入口１３は、遊技者によってメダルが投入されるためのものである。メダル投入口１３から投入されたメダルは、予め設定された枚数（例えば３枚）を上限として１回の遊技に使用され、予め設定された枚数を超えた分は、パチスロ機１の内部に預けることができる（いわゆるクレジット機能）。
【００５１】
ＭＡＸベットボタン１４及び１ベットボタン１５は、パチスロ機１の内部に預けられているメダルから１回の遊技に使用する枚数を決定するために設けられる。なお、図２には示さないが、台座部１２には、精算ボタンが設けられる。この精算ボタンは、パチスロ機１の内部に預けられているメダルを外部に引き出す（排出する）ために設けられる。
【００５２】
スタートレバー１６は、遊技者の操作に応じて全てのリール（３Ｌ，３Ｃ，３Ｒ）の回転を開始させるためのものであり、開始操作手段を構成する。
【００５３】
ストップボタン１７Ｌ，１７Ｃ，１７Ｒは、それぞれ、左リール３Ｌ、中リール３Ｃ、右リール３Ｒに対応付けて設けられ、遊技者の操作に応じて対応する各リールの回転を停止させるためのものである。これらストップボタン１７Ｌ，１７Ｃ，１７Ｒは、停止操作手段を構成する。
【００５４】
また、これらストップボタン１７Ｌ，１７Ｃ，１７Ｒは、液晶表示装置１１に表示される情報に関する操作を行う際に用いられるようになっており、例えば液晶表示装置１１の表示画面上における選択操作を行う際に用いられる。以下、ストップボタン１７Ｌ，１７Ｃ，１７Ｒを、それぞれ左ストップボタン１７Ｌ、中ストップボタン１７Ｃ、右ストップボタン１７Ｒという。
【００５５】
選択ボタン及び決定ボタンは、液晶表示装置１１の表示画面上における各種操作を行う際に用いられる。
【００５６】
また、台座部１２には、７セグメントＬＥＤ（LightEmittingDiode）からなる７セグ表示器２８が設けられている。この７セグ表示器２８は、特典として遊技者に対して払い出すメダルの枚数（以下、払出枚数）、パチスロ機１の内部に預けられているメダルの枚数（以下、クレジット枚数）等の情報をデジタル表示する。
【００５７】
ドア本体９の下部には、メダル払出口２１、メダル受皿２２、スピーカ２３ＵＬ，２３ＵＲ等が設けられている。メダル払出口２１は、後述のホッパー装置４３の駆動により排出されるメダルを外部に導く。メダル受皿２２は、メダル払出口２１から排出されたメダルを貯める。
【００５８】
スピーカ２３ＵＬ，２３ＵＲは、演出内容に対応する効果音や楽曲等の音を出力する。また、スピーカ２３ＵＬ，２３ＵＲは、スピーカユニット１５０と同様の構成により設けられている。
【００５９】
＜パチスロ機の電気的構成＞
次に、パチスロ機１の電気的構成について、図６を参照して説明する。図６は、パチスロ機１の電気的構成を示すブロック図である。
【００６０】
図６に示すように、パチスロ機１は、キャビネット２ａに配設された主制御基板４１と、フロントドア２ｂに配設された副制御基板４２とを有している。主制御基板４１には、リール中継端子板５１と、設定用鍵型スイッチ５２と、キャビネット側中継基板５３と、ドア中継端子板５４と、電源装置４４の電源基板４４ｂとが電気的に接続されている。
【００６１】
リール中継端子板５１は、各リール３Ｌ，３Ｃ，３Ｒのリール本体の内側に配設されている。このリール中継端子板５１は、各リール３Ｌ，３Ｃ，３Ｒのステッピングモータ（不図示）に電気的に接続されており、主制御基板４１からステッピングモータに出力される信号を中継する。設定用鍵型スイッチ５２は、パチスロ機１の設定を変更する際又はパチスロ機１の設定を確認する際に使用する。
【００６２】
キャビネット側中継基板５３には、外部集中端子板５６と、ホッパー装置４３と、メダル補助収納庫スイッチ５７とが電気的に接続されている。このキャビネット側中継基板５３は、主制御基板４１から外部集中端子板５６、ホッパー装置４３、メダル補助収納庫スイッチ５７に出力される信号を中継する。つまり、外部集中端子板５６、ホッパー装置４３及びメダル補助収納庫スイッチ５７は、キャビネット側中継基板５３を介して主制御基板４１に接続されている。
【００６３】
外部集中端子板５６は、キャビネット２ａに取り付けられており、メダル投入信号、メダル払出信号及びセキュリティ信号などの信号をパチスロ機１の外部へ出力するために設けられている。
【００６４】
メダル補助収納庫スイッチ５７は、図示しないメダル補助収納庫を貫通している。このメダル補助収納庫スイッチ５７は、メダル補助収納庫がメダルで満杯になっているか否かを検出する。
【００６５】
電源装置４４の電源基板４４ｂには、電源スイッチ４４ａが接続されている。この電源スイッチ４４ａは、パチスロ機１に必要な電源を供給するときにＯＮにする。
【００６６】
ドア中継端子板５４には、メダルセンサ４６、ドア開閉監視スイッチ６１、ＢＥＴスイッチ６２、精算スイッチ６３、スタートスイッチ６４、ストップスイッチ基板６５、遊技動作表示基板６６、選択スイッチ６７、決定スイッチ６８及び副中継基板６９が接続されている。つまり、メダルセンサ４６、ドア開閉監視スイッチ６１、ＢＥＴスイッチ６２、精算スイッチ６３、スタートスイッチ６４、ストップスイッチ基板６５、遊技動作表示基板６６、選択スイッチ６７、決定スイッチ６８及び副中継基板６９は、ドア中継端子板５４を介して主制御基板４１に接続されている。
【００６７】
メダルセンサ４６は、メダルが図示しないセレクタ内を通過したことを検出して、その検出結果を主制御基板４１に出力する。ドア開閉監視スイッチ６１は、フロントドア２ｂの開閉を報知するためのセキュリティ信号をパチスロ機１の外部へ出力する。ＢＥＴスイッチ６２は、ＭＡＸベットボタン１４及び１ベットボタン１５（図２参照）が遊技者により押されたことを検出して、その検出結果を主制御基板４１に出力する。
【００６８】
精算スイッチ６３は、精算ボタン（不図示）が遊技者により押されたことを検出して、その検出結果を主制御基板４１に出力する。スタートスイッチ６４は、スタートレバー１６が遊技者により操作されたこと（開始操作）を検出して、その検出結果を主制御基板４１に出力する。
【００６９】
ストップスイッチ基板６５は、回転しているリールを停止させるための回路と、停止可能なリールをＬＥＤなどにより表示するための回路を構成する基板である。このストップスイッチ基板６５には、ストップスイッチが設けられている。ストップスイッチは、各ストップボタン１７Ｌ，１７Ｃ，１７Ｒが遊技者により押されたこと（停止操作）を検出する。
【００７０】
遊技動作表示基板６６は、メダルの投入を受け付けるとき、３つのリール３Ｌ，３Ｃ，３Ｒが回動可能なとき及び再遊技を行うときに、投入されたメダルの枚数を７セグ表示器２８に表示させるための基板である。この遊技動作表示基板６６には、７セグ表示器２８とＬＥＤ７０が接続されている。ＬＥＤ７０は、例えば、遊技の開始を表示するマークや再遊技を行うマークなどを点灯させる。
【００７１】
選択スイッチ６７は、選択ボタンが遊技者により押されたことを検出して、その検出結果を主制御基板４１及び副中継基板６９に出力する。決定スイッチ６８は、決定ボタンが遊技者により押されたことを検出して、その検出結果を主制御基板４１及び副中継基板６９に出力する。
【００７２】
副中継基板６９は、副制御基板４２と主制御基板４１とを接続する配線を中継する。また、副中継基板６９は、副制御基板４２と副制御基板４２の周辺に配設された複数の基板とを接続する配線を中継する。すなわち、副中継基板６９には、副制御基板４２と、サウンドＩ／Ｏ基板７１と、ＬＥＤ基板７２と、２４ｈドア開閉監視ユニット７４と、駆動制御基板７８とが電気的に接続されている。
【００７３】
副制御基板４２は、ドア中継端子板５４と副中継基板６９を介して主制御基板４１に接続されている。また、副制御基板４２は、副中継基板６９を介して、サウンドＩ／Ｏ基板７１と、ＬＥＤ基板７２と、２４ｈドア開閉監視ユニット７４と、駆動制御基板７８とに電気的に接続されている。
【００７４】
サウンドＩ／Ｏ基板７１は、スピーカ２３ＴＬ，２３ＴＲ，２３ＵＬ，２３ＵＲへの音声の出力を行う。ＬＥＤ基板７２は、副制御回路１０１（図８参照）の制御により実行される演出に応じて、光源の一具体例を示すＬＥＤ群２５を発光させて、点滅パターンを表示する。
【００７５】
２４ｈドア開閉監視ユニット７４は、フロントドア２ｂの開閉の履歴を保存する。また、２４ｈドア開閉監視ユニット７４は、フロントドア２ｂを開放したときに、液晶表示装置１１にエラー表示を行うための信号を副制御基板４２（副制御回路１０１）に出力する。
【００７６】
副制御基板４２には、ロムカートリッジ基板７６と、液晶中継基板７７とが接続されている。ロムカートリッジ基板７６は、演出用の画像（映像）、音声、光（ＬＥＤ群２５）及び通信のデータを管理するための基板である。液晶中継基板７７は、副制御基板４２と液晶表示装置１１とを接続する配線を中継する基板である。
【００７７】
＜主制御回路＞
次に、主制御基板４１により構成される主制御回路９１について、図７を参照して説明する。図７は、パチスロ機１の主制御回路９１の構成例を示すブロック図である。
【００７８】
図７に示すように、制御手段としての主制御回路９１は、主制御基板４１上に設置されたマイクロコンピュータ９２を主たる構成要素とし、遊技の進行を制御するものである。マイクロコンピュータ９２は、メインＣＰＵ９３、メインＲＯＭ９４及びメインＲＡＭ９５により構成される。
【００７９】
メインＲＯＭ９４には、メインＣＰＵ９３により実行される制御プログラム、データテーブル、後述する副制御回路１０１に対して各種制御指令（コマンド信号）を送信するためのデータ等が記憶されている。メインＲＡＭ９５には、制御プログラムの実行により決定された内部当籤役等の各種データを格納する格納領域が設けられる。
【００８０】
メインＣＰＵ９３には、クロックパルス発生回路９６、分周器９７、乱数発生器９８及びサンプリング回路９９が接続されている。クロックパルス発生回路９６及び分周器９７は、クロックパルスを発生する。メインＣＰＵ９３は、発生されたクロックパルスに基づいて、制御プログラムを実行する。乱数発生器９８は、予め定められた範囲の乱数（例えば、０〜６５５３５）を発生する。サンプリング回路９９は、発生された乱数の中から１つの値を抽出する。
【００８１】
メインＣＰＵ９３は、リールインデックスを検出してから各リール３Ｌ，３Ｃ，３Ｒのステッピングモータに対してパルスを出力した回数をカウントする。これにより、メインＣＰＵ９３は、各リール３Ｌ，３Ｃ，３Ｒの回転角度（主に、リールが図柄何個分だけ回転したか）を管理する。
【００８２】
なお、リールインデックスとは、リールが一回転したことを示す情報である。このリールインデックスは、例えば、発光部及び受光部を有する光センサと、各リール３Ｌ，３Ｃ，３Ｒの所定の位置に設けられ、各リール３Ｌ，３Ｃ，３Ｒの回転により発光部と受光部との間に介在される検知片を備えたリール位置検出部（不図示）により検出する。
【００８３】
ここで、各リール３Ｌ，３Ｃ，３Ｒの回転角度の管理について、具体的に説明する。ステッピングモータに対して出力されたパルスの数は、メインＲＡＭ９５に設けられたパルスカウンタによって計数される。そして、図柄１つ分の回転に必要な所定回数（例えば１６回）のパルスの出力がパルスカウンタで計数される毎に、メインＲＡＭ９５に設けられた図柄カウンタが１ずつ加算される。図柄カウンタは、各リール３Ｌ，３Ｃ，３Ｒに応じて設けられている。図柄カウンタの値は、リール位置検出部（不図示）によってリールインデックスが検出されるとクリアされる。
【００８４】
つまり、本実施の形態では、図柄カウンタを管理することにより、リールインデックスが検出されてから図柄何個分の回転が行われたのかを管理するようになっている。したがって、各リール３Ｌ，３Ｃ，３Ｒの各図柄の位置は、リールインデックスが検出される位置を基準として検出される。
【００８５】
本実施の形態では、基本的に滑り駒数の最大数を図柄４個分に定めている。したがって、左ストップボタン１７Ｌが押されたときに表示窓４の中段にある左リール３Ｌの図柄と、その４個先の図柄までの範囲内にある各図柄が、表示窓４の中段に停止可能な図柄となる。
【００８６】
＜副制御回路＞
次に、副制御基板４２により構成される副制御回路１０１について、図８を参照して説明する。図８は、パチスロ機１の副制御回路１０１の構成例を示すブロック図である。
【００８７】
図８に示すように、副制御部としての副制御回路１０１は、主制御回路９１と電気的に接続されており、主制御回路９１から送信されるコマンド信号に基づいて演出内容の決定や実行等の処理を行うとともに、図６に示す液晶表示装置１１、ＬＥＤ群２５、スピーカ２３ＴＬ，２３ＴＲ，２３ＵＬ，２３ＵＲ等の周辺装置の制御を行うものである。副制御回路１０１は、基本的に、サブＣＰＵ１０２、サブＲＡＭ１０３、レンダリングプロセッサ１０４、描画用ＲＡＭ１０５、ドライバ１０６を含んで構成されている。
【００８８】
サブＣＰＵ１０２は、主制御回路９１（図７参照）から送信されたコマンド信号に応じて、ロムカートリッジ基板７６に記憶されている制御プログラムに従い、音、光の出力、液晶表示装置１１の表示の制御を行う。ロムカートリッジ基板７６は、基本的に、プログラム記憶領域とデータ記憶領域によって構成される。
【００８９】
プログラム記憶領域には、サブＣＰＵ１０２が実行する制御プログラムが記憶されている。例えば、制御プログラムには、主制御回路９１（図７参照）との通信を制御するための主基板通信タスクや、演出用乱数値を抽出し、演出内容（演出データ）の決定及び登録を行うための演出登録タスクが含まれる。また、決定した演出内容に基づいて液晶表示装置１１による映像の表示を制御する描画制御タスク、ＬＥＤ群２５（図６参照）等の光源による光の出力を制御するランプ制御タスク、スピーカ２３ＴＬ，２３ＴＲ，２３ＵＬ，２３ＵＲによる音の出力を制御する音声制御タスク等が含まれる。
【００９０】
データ記憶領域は、各種データテーブルを記憶する記憶領域、各演出内容を構成する演出データを記憶する記憶領域、映像の作成に関するアニメーションデータを記憶する記憶領域が含まれている。また、ＢＧＭや効果音に関するサウンドデータを記憶する記憶領域、光の点消灯のパターンに関するランプデータを記憶する記憶領域等が含まれている。
【００９１】
サブＲＡＭ１０３は、決定された演出内容や演出データを登録する格納領域や、主制御回路９１から送信される内部当籤役等の各種データを格納する格納領域が設けられている。
【００９２】
サブＣＰＵ１０２、レンダリングプロセッサ１０４、描画用ＲＡＭ（フレームバッファを含む）１０５及びドライバ１０６は、演出内容により指定されたアニメーションデータに従って映像を作成し、作成した映像を液晶表示装置１１に表示させる。
【００９３】
また、サブＣＰＵ１０２は、演出内容により指定されたサウンドデータに従ってＢＧＭなどの音をスピーカ２３ＴＬ，２３ＴＲ，２３ＵＬ，２３ＵＲにより出力させる。また、サブＣＰＵ１０２は、演出内容により指定されたランプデータに従ってＬＥＤ群２５の点灯及び消灯を制御する。
【００９４】
本実施形態によれば、以下の作用効果を奏する。パチスロ機１によれば、音を発生するスピーカ２３ＴＬ，２３ＴＲの前面側にスピーカカバー１６０が配置されている。スピーカカバー１６０は、複数の放音孔１６２を備える。放音孔１６２は、前面側から背面側に向かって窄まる形状に形成されている放音孔１６３を有する。
【００９５】
これにより、スピーカから発生された音は、放音孔１６２の背面側における放音孔１６３の窄まった部分で、音圧が高まり、前面側に向かって拡散する。よって、放音孔１６２に拡散部を設けない場合に比べ、効率よく音を遠くまで伝播できる。したがって、放音効率を向上できる遊技機を提供できる。
【００９６】
また、パチスロ機１によれば、放音孔１６２の放音孔１６３が背面側に向かって窄まる形状に形成されているので、遊技者に面する前面側からスピーカ２３ＴＬ，２３ＴＲが配された背面側に、異物が侵入するのを防止可能となり、放音効率が低下するのを防止できる。
【００９７】
また、パチスロ機１によれば、スピーカ２３ＴＬ，２３ＴＲから発生された音は、放音孔１６２の集音部１６４において集音され、放音孔１６３の窄まった部分に向かって音圧が高まり、前面側に向かって拡散する。よって、放音孔１６２に放音孔１６３及び集音部１６４を設けない場合に比べ、より効率よく音を遠くまで伝播できる。したがって、放音効率をより向上できる遊技機を提供できる。
【００９８】
また、パチスロ機１によれば、スピーカ２３ＴＬ，２３ＴＲから発生された音は、放音孔１６２の集音部１６４において集音され、前面側から外部へより広がりながら拡散する。したがって、放音効率をより向上できる遊技機を提供できる。
【００９９】
また、パチスロ機１によれば、スピーカ２３ＴＬ，２３ＴＲから発生された音は、放音孔１６２の集音部１６４において、より音圧が高まり、放音孔１６３において、前面側から外部へより広がりながら拡散する。したがって、放音効率をより向上できる遊技機を提供できる。
【０１００】
また、パチスロ機１によれば、スピーカカバー１６０のカバー本体１６１を前面側に膨出する曲面形状に形成したので、カバー本体１６１を平面形状に形成した場合に比べ、スピーカカバー１６０の前面側の面積を広くできるので、より多くの放音孔１６２を設けることが可能となる。したがって、放音効率をより向上できる遊技機を提供できる。また、スピーカカバー１６０のカバー本体１６１を前面側に膨出する曲面形状に形成したことで、カバー本体１６１の前面側からの衝撃に対する耐久性を、カバー本体１６１を平面形状に形成した場合に比べ向上できる。
【０１０１】
なお、本発明は、上述した実施形態に限定されるものではない。例えば、本実施形態において、スピーカカバー１６０のカバー本体１６１を曲面形状に形成しているが、これに限らず、カバー本体１６１を平面形状に形成してもよい。
【０１０２】
また、本実施形態において、放音孔１６２は、放音孔１６３及び集音部１６４を備えるが、これに限らず、集音部１６４を省略し、放音孔１６３のみであってもよい。
【０１０３】
また、本実施形態において、放音孔１６３は、円錐形状の頂点側を平面にした形状で形成しているが、これに限らず、前面側から背面側に向かって窄まる形状であれば、四角錐形状や三角錐形状等の多角錐形状の頂点側を平面にした形状で形成してもよい。また、集音部１６４は、円錐形状の頂点側を平面にした形状で形成しているが、これに限らず、背面側から前面側に向かって窄まる形状であれば、四角錐形状や三角錐形状等の多角錐形状の頂点側を平面にした形状で形成してもよい。
【０１０４】
また、本実施形態において、放音孔１６２は、放音孔１６３及び集音部１６４をともに円錐形状の頂点側を平面にした形状で形成しているが、これに限らず、放音孔１６３及び集音部１６４を互いに異なる形状、例えば、放音孔１６３を円錐形状の頂点側を平面にした形状で形成し、集音部１６４を多角錐形状の頂点側を平面にした形状で形成してもよい。また、放音孔１６２のホーン形状（放音孔１６３及び集音部１６４）について、スピーカカバー１６０のカバー本体１６１の中心と遠心とで、異なる形状にしてもよい。
【０１０５】
また、本実施形態の説明では、遊技機の一例としてパチスロ機を例に説明したが、本発明は、これに限らず、スピーカを備える遊技機であれば、パチンコ遊技機等に適用することもできる。例えば、パチンコ遊技機は、遊技者の遊技操作（例えば、遊技球の発射操作）がされ、遊技媒体である遊技球が遊技盤上の始動口に入球したことに基づいて、内部当籤役（例えば、大当りか否か）が決定されるとともに、図柄表示手段によって図柄の変動表示が開始され、予め定められた停止条件の成立（例えば、図柄の変動時間が終了すること）に基づいて、図柄の変動表示が停止され、所定の図柄の組合せが表示されると、所定の利益（例えば、大当り状態への移行）が付与される。このようなパチンコ遊技機は、上記のような遊技の進行に応じた演出としての音を発生するスピーカを備えるが、このスピーカをスピーカユニット１５０と同様の構成により設けてもよい。
【０１０６】
［第２実施形態］
次に、本発明の第２実施形態を示す遊技機であるパチスロ機について説明する。
第２実施形態に係る機能フローについては、図１を用いて説明した第１実施形態と同一であるため、説明は省略する。なお、図１〜８に示す部材と同一の部材、あるいは同一機能の部材については同一の符号を付して詳細な説明は省略する。
【０１０７】
［外観構造］
図９は、本発明の第２実施形態に係るパチスロ機の外部構造を示す全体斜視図、図１０は、図２の正面図である。なお、以下の説明の便宜上、図９、図１０中に直線の矢印で示した方向をそれぞれ、前側、後側、右側、左側、上側、下側と称することにする。
【０１０８】
第２実施形態においては、第１実施形態におけるスピーカユニット１５０の代わりにドア本体９の上部に、上部発光演出ユニット２００が設けられている。ドア本体９の左側の側部には、側部発光演出ユニット３００Ｌが設けられている。ドア本体９の右側の側部には、側部発光演出ユニット３００Ｒが設けられている。側部発光演出ユニット３００Ｌと側部発光演出ユニット３００Ｒとは、左右対称に構成されている。
【０１０９】
上部発光演出ユニット２００は、内部にＬＥＤやスピーカが配置されており、音と光による演出を行うものである。上部発光演出ユニット２００は、ＬＥＤやスピーカを覆う上カバー２１０と、中央に配置されて発光演出を行う中央装飾体２１４と、中央装飾体２１４の周囲や上カバー２１０の上部を装飾する下ドレープ２１６と、下ドレープ２１６の前方の一部を覆うとともに上カバー２１０の上部を装飾する上ドレープ２１８と、を備えている。上部発光演出ユニット２００において、外部からは上カバー２１０、中央装飾体２１４、下ドレープ２１６、上ドレープ２１８等が遊技者に視認可能である。側部発光演出ユニット３００Ｌ、３００Ｒは発光演出を行うものであり、内部にＬＥＤを備え、半透明部材からなるカバー３１０によって覆われている。本実施形態におけるカバー３１０は、内部のＬＥＤが発光しない場合に、カバー３１０の内部が見えないように構成されている。なお、上部発光演出ユニット２００、側部発光演出ユニット３００Ｌ及び側部発光演出ユニット３００Ｒの詳細については、後述する。
【０１１０】
（上部発光演出ユニット２００）
図１１は、上部発光演出ユニット２００の構成部品を示す分解図である。なお、図１１においては、主要な構成部品のみを示し、ネジ、金具、リード線等については、図示を省略する。
【０１１１】
上部発光演出ユニット２００は、ベース板２０２と、スピーカ２０４Ｌ、２０４Ｒと、左ＬＥＤ基板２０６Ｌと、中央ＬＥＤ基板２０６Ｃと、右ＬＥＤ基板２０６Ｒと、左導光部２０８Ｌと、右導光部２０８Ｒと、上カバー２１０と、装飾台２１２と、中央装飾体２１４と、下ドレープ２１６と、上ドレープ２１８と、を備えている。
【０１１２】
ベース板２０２は、樹脂によって構成され、スピーカ２０４Ｌ、２０４Ｒと、左ＬＥＤ基板２０６Ｌと、中央ＬＥＤ基板２０６Ｃと、右ＬＥＤ基板２０６Ｒと、左導光部２０８Ｌと、右導光部２０８Ｒと、を固定するものである。ベース板２０２は、正面視した場合に左右方向に延びる略等脚台形形状をなしている。
【０１１３】
図１２は、ベース板２０２に、スピーカ２０４Ｌ、２０４Ｒと、左ＬＥＤ基板２０６Ｌと、右ＬＥＤ基板２０６Ｒとを固定した状態を示す説明図であり、図１２（ａ）は正面図、図１２（ｂ）は背面図、図１２（ｃ）は、左ＬＥＤ基板２０６Ｌ及び右ＬＥＤ基板２０６Ｒの正面図である。
【０１１４】
図１２（ａ）に示すように、ベース板２０２における前面側の中央部に、中央ＬＥＤ基板２０６Ｃを固定するための固定部２０２ａが形成されている。ベース板２０２における長手方向の両側部に、円形の孔部２０２ｂ、２０２ｂが形成されている。孔部２０２ｂ、２０２ｂの縁部からは、メガホン形状のホーン部２０２ｃ、２０２ｃが前方に向かって延びている。また、ベース板２０２の前面における、左側のホーン部２０２ｃの周囲には、左導光部２０８Ｌを固定するための固定部２０２ｅ（図１６参照）と、ベース板２０２の板面を貫通する小穴２０２ｄが複数箇所に形成されている。また、右側のホーン部２０２ｃの周囲にも同様に、右導光部２０８Ｒを固定するための固定部２０２ｅ（図１６参照）と、複数の小穴２０２ｄとが形成されている。
【０１１５】
図１２（ｂ）に示すように、スピーカ２０４Ｌ、２０４Ｒは、スピーカ面が孔部２０２ｂ、２０２ｂに対向するように、ベース板２０２の後面側に固定される。
【０１１６】
左ＬＥＤ基板２０６Ｌは、スピーカ２０４Ｌの周囲に配置され、ベース板２０２の後面側に固定される。右ＬＥＤ基板２０６Ｒは、スピーカ２０４Ｒの周囲に配置され、ベース板２０２の後面側に固定される。左ＬＥＤ基板２０６Ｌ及び右ＬＥＤ基板２０６Ｒは、複数のＬＥＤ素子２２０（図１２（ｃ）参照）を実装しており、複数のＬＥＤ素子２２０は、複数の小穴２０２ｄにそれぞれ対向配置される。
【０１１７】
また、図１２（ｃ）に示すように、複数のＬＥＤ素子２２０は、上部に配置されるＬＥＤ素子２２０ａのグループと、ＬＥＤ素子２２０ａよりも下方に配置されるＬＥＤ素子２２０ｂのグループとに分けられる。詳細については後述するが、ＬＥＤ素子２２０ａのグループは、左導光部２０８Ｌ及び右導光部２０８Ｒにおける第１内側導光部２３０ａ及び第１外側導光部２３０ｂに光を発射し、ＬＥＤ素子２２０ｂのグループは、左導光部２０８Ｌ及び右導光部２０８Ｒにおける第２内側導光部２３０ｃ及び第２外側導光部２３０ｄに光を発射する。
【０１１８】
図１１に戻って、中央ＬＥＤ基板２０６Ｃは、複数のＬＥＤ素子２２０を実装しており、ベース板２０２の固定部２０２ａに固定される。
【０１１９】
なお、中央ＬＥＤ基板２０６Ｃ、左ＬＥＤ基板２０６Ｌ及び右ＬＥＤ基板２０６Ｒに実装されているＬＥＤ素子２２０は、副中継基板６９（図２１参照）に接続されており、副中継基板６９によって発光制御される。特に、左ＬＥＤ基板２０６Ｌ及び右ＬＥＤ基板２０６Ｒに実装されている複数のＬＥＤ素子２２０は、副中継基板６９によって個別に制御可能である。
【０１２０】
左導光部２０８Ｌ及び右導光部２０８Ｒは、アクリル樹脂等の透明樹脂によって構成され、透明樹脂の内面反射を利用して、所定の端面に入射した光を、他の端面に効率よく導く光学部材である。
【０１２１】
図１３は、左導光部２０８Ｌの外観を示す斜視図である。左導光部２０８Ｌは、第１内側導光部２３０ａと、第１外側導光部２３０ｂと、第２内側導光部２３０ｃと、第２外側導光部２３０ｄと、からなる。なお、左導光部２０８Ｌと右導光部２０８Ｒとは左右対称であるため、右導光部２０８Ｒについての説明は省略する。
【０１２２】
第１内側導光部２３０ａ及び第１外側導光部２３０ｂは、ベース板２０２における前面側の上部に配置され、第１内側導光部２３０ａは、ベース板２０２における中央寄りに、第１外側導光部２３０ｂは、ベース板２０２における左側端部寄りに配置される。第２内側導光部２３０ｃ及び第２外側導光部２３０ｄは、第１内側導光部２３０ａ及び第１外側導光部２３０ｂよりも下方に配置される。
【０１２３】
第１内側導光部２３０ａ、第１外側導光部２３０ｂ、第２内側導光部２３０ｃ及び第２外側導光部２３０ｄは、それぞれ異なる形状であるが基本構成は同じであり、ベース板２０２の固定部２０２ｅ（図１６参照）に固定される透明ベース２３２と、透明ベース２３２から前方に延びる前方延出部２３４と、透明ベース２３２から後方に延びる後方延出部２３６とによって構成されている。
なお、以下の説明において、第１内側導光部２３０ａの透明ベース２３２、前方延出部２３４及び後方延出部２３６を、透明ベース２３２ａ、前方延出部２３４ａ及び後方延出部２３６ａと称する。第１外側導光部２３０ｂの透明ベース２３２、前方延出部２３４及び後方延出部２３６を、透明ベース２３２ｂ、前方延出部２３４ｂ及び後方延出部２３６ｂと称する。第２内側導光部２３０ｃの透明ベース２３２、前方延出部２３４及び後方延出部２３６を、透明ベース２３２ｃ、前方延出部２３４ｃ及び後方延出部２３６ｃと称する。第２外側導光部２３０ｄの透明ベース２３２、前方延出部２３４及び後方延出部２３６を、透明ベース２３２ｄ、前方延出部２３４ｄ及び後方延出部２３６ｄと称する。
【０１２４】
第１内側導光部２３０ａ及び第１外側導光部２３０ｂの前方延出部２３４ａ、２３４ｂは、板状に形成されており、透明ベース２３２ａ、２３２ｂの板面に対して垂直方向に延びている。透明ベース２３２ａ、２３２ｂの板面を前面側から視認した場合に、前方延出部２３４ａ、２３４ｂは透明ベース２３２ａ、２３２ｂの板面に沿って弧状に延伸している。後方延出部２３６ａ、２３６ｂは、板状の形成されており、透明ベース２３２ａ、２３２ｂの板面に対して垂直方向に延びている。
【０１２５】
第２内側導光部２３０ｃ及び第２外側導光部２３０ｄの前方延出部２３４ｃ、２３４ｄは、先細りの棒状に形成されており、透明ベース２３２ｃ、２３２ｄの板面に対して垂直方向に延びている。また、第２内側導光部２３０ｃ及び第２外側導光部２３０ｄの前方延出部２３４ｃ、２３４ｄの先端部は、半球状に形成されており、その表面が多面体状にカットされている。後方延出部２３６ｃ、２３６ｄは、前方延出部２３４ｃ、２３４ｄに連続した四角柱形の棒状あるいは脚状に形成されており、透明ベース２３２ｃ、２３２ｄの板面に対して垂直方向あるいは屈曲しながら後方に延びている。
【０１２６】
第１内側導光部２３０ａ、第１外側導光部２３０ｂ、第２内側導光部２３０ｃ及び第２外側導光部２３０ｄがベース板２０２に固定された場合に、各導光部の後方延出部２３６ａ〜２３６ｄの端面が、小穴２０２ｄに対向するように位置付けられ、左ＬＥＤ基板２０６Ｌに実装されている複数のＬＥＤ素子２２０に近接する。
ここで、図１２（ｃ）に示すように、左ＬＥＤ基板２０６Ｌは、２枚の基板によって構成されている。一方の基板には、第１外側導光部２３０ｂの端面に対向する複数のＬＥＤ素子２２０ａと、第２外側導光部２３０ｄの後方延出部２３６ｄの端面に対向する複数のＬＥＤ素子２２０ｂとが実装されている。他方の基板には、第１内側導光部２３０ａの後方延出部２３６ａの端面に対向する複数のＬＥＤ素子２２０ａと、第２内側導光部２３０ｃの後方延出部２３６ｃの端面に対向する複数のＬＥＤ素子２２０ｂが実装されている。尚、左ＬＥＤ基板２０６Ｌ及び右ＬＥＤ基板２０６Ｒはそれぞれ左右２枚の基板で構成されているが、１枚であっても３枚以上であってもよい。
【０１２７】
図１１に戻って、上カバー２１０は、ベース板２０２の前面側に取り付けられ、スピーカ２０４Ｌ、２０４Ｒの前方を覆う部材である。
【０１２８】
図１４は、上カバー２１０の正面図であり、上カバー２１０の中央には、正面視矩形の孔部２１０ａが形成されており、上カバー２１０の両側部には、複数の小孔からなる網目部２１０ｂ、２１０ｂが形成されている。更に、網目部２１０ｂの上部にスリット部２１０ｃ、２１０ｃが穿設されている。また、スリット部２１０ｃ、２１０ｃの下方に、複数の小孔２１０ｄが穿設されている。
【０１２９】
上カバー２１０の両側部における、網目部２１０ｂ、スリット部２１０ｃ、２１０ｃ及び複数の小孔２１０ｄが形成されている領域は、前方に向かって膨出している。このため、上カバー２１０の中央部は凹状に形成され、この凹状の領域に、装飾台２１２を介して中央装飾体２１４が固定される。
【０１３０】
網目部２１０ｂ、２１０ｂは、スピーカ２０４Ｌ、２０４Ｒとの対向部位に形成されている。スリット部２１０ｃ、２１０ｃは、第１内側導光部２３０ａ及び第１外側導光部２３０ｂの前方延出部２３４ａ、２３４ｂの端面との対向部位に、前方延出部２３４ａ、２３４ｂの端面と同様に弧状に形成されている。小孔２１０ｄは、第２内側導光部２３０ｃ及び第２外側導光部２３０ｄの前方延出部２３４ｃ、２３４ｄの先端部との対向部位に円形に形成されている。
【０１３１】
そして、上カバー２１０が、ベース板２０２の前面側に取り付けられた場合に、第１内側導光部２３０ａ及び第１外側導光部２３０ｂの前方延出部２３４ａ、２３４ｂがスリット部２１０ｃ、２１０ｃに遊嵌して、先端部が上カバー２１０から突出する。また、第２内側導光部２３０ｃ及び第２外側導光部２３０ｄの前方延出部２３４ｃ、２３４ｄが小孔２１０ｄに遊嵌して、先端部が上カバー２１０から突出する。
【０１３２】
装飾台２１２は、上カバー２１０の中央に固定される、中央装飾体２１４を支持する部材である。装飾台２１２は複数の小孔を有しており、複数の小孔は、上カバー２１０の中央に固定された場合に、孔部２１０ａを介して中央ＬＥＤ基板２０６Ｃに実装されている複数のＬＥＤ素子２２０にそれぞれ対向する。すなわち、１つのＬＥＤ素子２２０に対して１つの小孔が対向する。
【０１３３】
中央装飾体２１４は、半透過性を有しており、中央ＬＥＤ基板２０６ＣのＬＥＤ素子２０が発光することにより、中央装飾体２１４が発光しているように遊技者に視認される。なお、中央ＬＥＤ基板２０６ＣのＬＥＤ素子２０が発光しない場合には、中央装飾体２１４の内部を視認することが不可能である。
【０１３４】
図１５に示すように、下ドレープ２１６は、表面が波形に形成された板状部材からなり、第１下ドレープ２１６ａと、第２下ドレープ２１６ｂ、２１６ｂとを有している。第１下ドレープ２１６ａは、中央装飾体２１４の周囲を囲むとともに、第１内側導光部２３０ａの前方延出部２３４ａの先端部の領域に配置される。
【０１３５】
図１５は、下ドレープ２１６の正面図であり、第１下ドレープ２１６ａにおける、第１内側導光部２３０ａの前方延出部２３４ａの先端部との対向部位にはスリット部２１６ｃが形成されている。このため、第１下ドレープ２１６ａが上カバー２１０に固定された場合、前方延出部２３４ａの先端部がスリット部２１６ｃの内部に位置付けられる。
【０１３６】
第２下ドレープ２１６ｂは、上カバー２１０に固定された場合、第１外側導光部２３０ｂの前方延出部２３４ｂの近傍に、前方延出部２３４ｂの下部に沿って配置される。
【０１３７】
上ドレープ２１８は、一部が上カバー２１０の上部に配置され、表面の一部が波形に形成された板状部材からなる（図１１参照）。
図１６は、図１０のＸＸ線断面図であり、上ドレープ２１８が、上カバー２１０の上部に配置された場合に、上ドレープ２１８の表面が波形に形成された部分が上カバー２１０の上部から下側に斜め下方に延出するように位置付けられる。この際、上ドレープ２１８と下ドレープ２１６との間に隙間Ｗが形成される。また、上部発光演出ユニット２００を前方から視認した場合（正面視した場合）に、第１内側導光部２３０ａ及び第１外側導光部２３０ｂにおける前方延出部２３４ａ、２３４ｂの先端部を含む領域が上ドレープ２１８によって覆われる（図２７参照）。更に、上部発光演出ユニット２００を前方から視認した場合に、前方延出部２３４の先端部が、第１内側導光部２３０ａに対応するＬＥＤ素子２２０ａの位置に対してずれた位置に配置されている。具体的には、上ドレープ２１８を外して、前方延出部２３４ａ、２３４ｂの先端部の導光面を正面視した場合に、ＬＥＤ素子２２０ａは、この導光面に対してずれた位置に配置されている。
【０１３８】
また、上ドレープ２１８は、着色された樹脂によって構成された透光性を有する部材からなる。このため、第１内側導光部２３０ａ及び第１外側導光部２３０ｂに対応するＬＥＤ素子２２０ａが発光した場合に、前方延出部２３４ａ、２３４ｂの先端部が発光することにより、上ドレープ２１８全体がぼんやりと発光しているように視認されるとともに、前方延出部２３４の先端部の弧形ラインが上ドレープ２１８の表面からぼんやりと浮かぶように視認される。また、前方延出部２３４ａ、２３４ｂの先端部からの光の一部が隙間Ｗを通過することにより、上ドレープ２１８の先端付近が明るくなる。
【０１３９】
更に、前方延出部２３４ｃ、２３４ｄの先端部が、上ドレープ２１８の小孔２１０ｄから若干突出しており、前方延出部２３４ｃ、２３４ｄの先端部は半球状で平面カットされていることから、第２内側導光部２３０ｃ及び第２外側導光部２３０ｄに対応するＬＥＤ素子２２０ｂが発光することにより、前方延出部２３４ｃ、２３４ｄの先端部が星屑のように発光する。また、ＬＥＤ素子２２０ｂの点灯、消灯を制御することにより、星屑のきらめきを表現することができる。
【０１４０】
ところで、遊技者は、上ドレープ２１８と下ドレープ２１６との隙間Ｗをのぞき込むことによって、前方延出部２３４ａ、２３４ｂの先端部の発光を視認することは可能である。しかし、本実施形態においては、パチスロ機１の前の椅子に座って遊技をしている状態においては、前方延出部２３４ａ、２３４ｂの先端部の発光を直接視認することできないように、隙間の方向や前方延出部２３４の先端部の配置、上ドレープ２１８の長さ等が設定されている。また、前述したように、前方延出部２３４ａ、２３４ｂの先端部の導光面を正面視した場合に、ＬＥＤ素子２２０ａが導光面に対してずれた位置に配置されているため、ＬＥＤ素子２２０の光が直接遊技者の目に入ることがなくなる。これにより、遊技者は、前方延出部２３４の先端部の発光を眩しく感じることが低減される。
【０１４１】
なお、上述した実施形態においては、上ドレープ２１８は着色された樹脂によって半透過性を有するように構成されているが、透光性を有しかつ透明でなければ適用可能である。例えば、透明樹脂に偏光パールと着色材を混ぜてなる乳白色の半透明部材、スモーク加工を施した半透明の部材、偏光部材、更には、透明アクリル板にサンドブラストを施して表面のつや消しを行ったもの、透明アクリル板の表面に偏光性や一部遮光性を有するシート部材を配置したものでもよい。なお、上ドレープ２１８は、ＬＥＤ素子２２０が発光しない状態において、上ドレープ２１８の後方が見えないことが望ましい。更には、第１内側導光部２３０ａ及び第１外側導光部２３０ｂに対応するＬＥＤ素子２２０が発光した場合における前方延出部２３４の先端部の発光を、遊技者が眩しくない程度に低減できることが望ましい。
【０１４２】
また、本実施形態の上部発光演出ユニット２００によれば、図１６に示すように、隙間Ｗを、下ドレープ２１６及び上ドレープ２１８の２つの部によって形成しているが、例えば、隙間Ｗを、側面視コ字状の一つの部材によって形成してもよい。また、４つの導光部、すなわち左導光部２０８Ｌ及び右導光部２０８Ｒそれぞれの第１内側導光部２３０ａ及び第１外側導光部２３０ｂの発光面の長さの和よりも隙間領域における長手方向の長さ寸法が大きい。隙間領域における長手方向の長さ寸法とは、隙間領域の全長、又は上部発光演出ユニット２００の左右方向の長さ、を含むものである。
【０１４３】
（側部発光演出ユニット３００Ｌ）
図１７及び図１８は、側部発光演出ユニット３００Ｌの内部構造を示す図であり、図１７は、カバー３１０を取った側部発光演出ユニット３００Ｌを右側から視認した斜視図、図１８は、カバー３１０を取った側部発光演出ユニット３００Ｌを左側から視認した斜視図、図１９はカバー３１０を取った側部発光演出ユニット３００Ｌを右側から視認した側面図である。なお、図１７〜１２においては、主要な構成部品のみを示し、ネジ、金具、リード線等については、図示を省略する。また、側部発光演出ユニット３００Ｒについては、側部発光演出ユニット３００Ｌに対して左右対称であるため、詳細な説明を省略する。
【０１４４】
側部発光演出ユニット３００Ｌは、カバー３１０以外に、ＬＥＤ素子３２０を実装するＬＥＤ基板部３１２と、右側導光部３１４と、中央導光部３１５と、左側導光部３１６と、を備える。右側導光部３１４は、第１〜第５右側導光体３１４ａ〜３１４ｅを有する。中央導光部３１５は、第２リフレクタ３３４を有する。左側導光部３１６は、第１リフレクタ３１６ａと、左側導光体３１６ｂと、を有する。
【０１４５】
第１〜第５右側導光体３１４ａ〜３１４ｅ及び左側導光体３１６ｂは、左導光部２０８Ｌ及び右導光部２０８Ｒと同様に、アクリル樹脂等の透明樹脂によって構成され、透明樹脂の内面反射を利用して、所定の端面から入射した光を他の端面に効率よく導く光学部材である。第１リフレクタ３１６ａ及び第２リフレクタ３３４は、光の透過性が極めて低いもしくは光が透過しない材質によって構成され、光を反射する滑面を有している。
【０１４６】
図２０、図２１及び図２２は、ＬＥＤ基板部３１２の構成を示す図であり、図２０は、ＬＥＤ基板部３１２の構成部品を示す分解図、図２１は、ＬＥＤ基板部３１２右側から視認した斜視図、図２２は、ＬＥＤ基板部３１２を左側から視認した斜視図である。
【０１４７】
図２０に示すように、ＬＥＤ基板部３１２は、ＬＥＤ基板３３０と、ベース板３３２と、第２リフレクタ３３４と、下部仕切板３３５と、を備えている。ＬＥＤ基板３３０は、複数のＬＥＤ素子３２０が実装されたプリント配線基板と、このプリント配線基板を支持する上下方向に延びる略長方形の支持基板とによって構成されている。ＬＥＤ基板３３０に実装されているＬＥＤ素子２２０は、全て同じ方向、すなわち、ＬＥＤ基板３３０の板面に対して垂直方向を向いている。
【０１４８】
ベース板３３２は、右側導光部３１４及び下部仕切板３３５を支持する平板部３３２ａと、第２リフレクタ３３４を支持するベース壁面部３３２ｂと、を備えている。
【０１４９】
平板部３３２ａは、ＬＥＤ基板３３０に対向配置され、平板部３３２ａにおける、ＬＥＤ基板３３０に実装されている複数のＬＥＤ素子３２０との対向部位にはそれぞれ開口３３２ｃが形成されている。ここで、平板部３３２ａにおける、第２〜第５右側導光体３１４ｂ〜３１４ｅの端面が対向する部位の開口３３２ｃは一つに形成されており、この一つの開口３３２ｃに複数のＬＥＤ素子３２０が対向する。
【０１５０】
図２０、図２１に示すように、ベース壁面部３３２ｂは、右側に湾曲した板状に形成されており、平板部３３２ａに対して垂直に立設している。また、ベース壁面部３３２ｂは、平板部３３２ａを正面視した場合に、平板部３３２ａの長手方向に沿って延びており、一端部が平板部３３２ａの左側面の上部近傍に位置し、他端部が平板部３３２ａの左側面の下部に位置し、中央部が右側に膨らむような、弧状に形成される。
【０１５１】
また、平板部３３２ａを側面視した場合に、図１９に示すように、ベース壁面部３３２ｂは中央部が高く、中央部から両側部に向かって緩やかに低くなるように構成されている。
【０１５２】
第２リフレクタ３３４は、図２２に示すように、ベース壁面部３３２ｂの左側の面に対向しかつ隙間を空けた状態でベース壁面部３３２ｂに固定される。この時、第２リフレクタ３３４の滑面は左側を向いている。また、第２リフレクタ３３４は、ベース壁面部３３２ｂよりも若干大きく形成されており、カバー３１０が取り付けられた場合に、カバー３１０の裏面に第２リフレクタ３３４の先端部が当接あるいは近接するように設計されている。
【０１５３】
下部仕切板３３５は、ベース板３３２における第２リフレクタ３３４の下部に取り付けられ、下部仕切板３３５の一端部がベース壁面部３３２ｂの他端部の下方に位置し、その位置から右上方向に延びて平板部３３２ａの右側面まで到達する。平板部３３２ａにおける下部仕切板３３５の下部の領域には開口３３２ｃが形成されており、この開口３３２ｃに対向するＬＥＤ基板３３０の領域に複数のＬＥＤ素子３２０が配置されている。
【０１５４】
図２３は、第１〜第５右側導光体３１４ａ〜３１４ｅの外観構造を示す斜視図である。
第１右側導光体３１４ａは、その裏面に平滑面を有し、表面が岩肌状に形成された凹凸面を有する板状に形成されている。
【０１５５】
第２右側導光体３１４ｂは、ベース板３３２に固定するための固定部（図示せず）と、ベース壁面部３３２ｂに対向する導光壁面部３４０ｂと、を有する。同様に、第３右側導光体３１４ｃは、ベース板３３２に固定するための固定部（図示せず）と、ベース壁面部３３２ｂに対向する導光壁面部３４０ｃと、を有する。第４右側導光体３１４ｄは、ベース板３３２に固定するための固定部（図示せず）と、一部がベース壁面部３３２ｂに対向し、一部が導光壁面部３４０ｃに対向する導光壁面部３４０ｄと、を有する。第５右側導光体３１４ｅは、ベース板３３２に固定するための固定部（図示せず）と、一部がベース壁面部３３２ｂに対向し、一部が導光壁面部３４０ｄに対向する導光壁面部３４０ｅと、を有する。導光壁面部３４０ｂ、３４０ｃ、３４０ｄ、３４０は、板状に形成されており、ベース板３３２からカバー３１０の裏面に向かって延出する。導光壁面部３４０ｂ、３４０ｃ、３４０ｄ、３４０の導光面、すなわち第２〜第５右側導光体３１４ｂ〜３１４ｅの先端面は、カバー３１０の一部を構成するサイドレンズ３１０ｂの裏面に対向する。
【０１５６】
導光壁面部３４０ｂは、ベース壁面部３３２ｂの右側に、ベース壁面部３３２ｂに対して若干の隙間を空けて対向配置されている。導光壁面部３４０ｃは、導光壁面部３４０ｂの下方に配置され、導光壁面部３４０ｄは、導光壁面部３４０ｃの下方に配置され、導光壁面部３４０ｅは、導光壁面部３４０ｄの下方に配置される。
【０１５７】
図２４は、左側導光部３１６の構成を示す斜視図である。第１リフレクタ３１６ａは、第２リフレクタ３３４を小型にした形状であり、左側導光体３１６ｂは、表面に、先端が尖った上下方向に延びる突条が前後方向に並べられた凹凸面を備えた、板状の光学部材である。第１リフレクタ３１６ａは、カバー３１０の裏面に固定され、図１８に示すように、第２リフレクタ３３４に対して所定の間隔を開けて、ＬＥＤ基板３３０の平板部３３２ａに配置される。左側導光体３１６ｂは、第１リフレクタ３１６ａの左側の面に対向し、所定の間隔を開けて第１リフレクタ３１６ａに固定される。
【０１５８】
ところで、図２０に示すように、ベース板３３２の平板部３３２ａにおいて、開口３３２ｃは、ベース板３３２における第１右側導光体３１４ａに対向する領域、第２右側導光体３１４ｂ〜第５右側導光体３１４ｅの固定部に対向する領域、左側導光体３１６ｂのベース板３３２側の端面に対向する領域、第１リフレクタ３１６ａと第２リフレクタ３３４との間の領域に形成されている。また、ＬＥＤ基板３３０には、開口３３２ｃに対応する位置にＬＥＤ素子３２０が実装されている。
【０１５９】
このため、複数のＬＥＤ素子３２０は、第１右側導光体３１４ａに対応する第１グループ、第２右側導光体３１４ｂに対応する第２グループ、第３右側導光体３１４ｃに対応する第３グループ、第４右側導光体３１４ｄに対応する第４グループ、第５右側導光体３１４ｅに対応する第５グループ、左側導光体３１６ｂに対応する第６グループ、第１リフレクタ３１６ａと第２リフレクタ３３４との間の開口３３２ｃに対応する第７グループ、下部仕切板３３５より下側に配置されている第８グループに分けることができる。複数のＬＥＤ素子３２０は、個々に独立して発光制御が可能であるとともに、グループ毎に発光制御が可能である。
【０１６０】
図２５は、カバー３１０の構成を示す分解斜視図である。カバー３１０は、第１サイドカバー３１０ａと、サイドレンズ３１０ｂと、サイドカラーレンズ３１０ｃと、サイド隠しレンズ３１０ｄと、を備えている。
【０１６１】
第１サイドカバー３１０ａは、非透過性の材料によって構成されており、ＬＥＤ基板部３１２におけるベース壁面部３３２ｂの左側に配置され、第２リフレクタ３３４及び左側導光体３１６ｂを覆うものである。第１サイドカバー３１０ａには、第１開口３６０、第２開口３６１及び第３開口３６２が形成されている。
【０１６２】
サイドレンズ３１０ｂは、透光性を有する着色樹脂によって半透過性を有するように構成されており、ＬＥＤ基板部３１２におけるベース壁面部３３２ｂの右側に配置され、第１〜第５右側導光体３１４ａ〜３１４ｅ及び第１〜第５グループのＬＥＤ素子３２０を覆うものである。
【０１６３】
サイドカラーレンズ３１０ｃは、有色の半透過性の樹脂材料によって構成されており、第１サイドカバー３１０ａの裏側に固定され、第１開口３６０をカバーするものである。サイド隠しレンズ３１０ｄは、第１サイドカバー３１０ａの裏側に固定され、第２開口３６１及び第３開口３６２をカバーするものである。サイドカラーレンズ３１０ｃ及びサイド隠しレンズ３１０ｄが第１サイドカバー３１０ａの裏側に固定された場合、第１サイドカバー３１０ａの表側において、第１サイドカバー３１０ａの外面と、サイドカラーレンズ３１０ｃ及びサイド隠しレンズ３１０ｄの外面とが面一になる。
【０１６４】
なお、図２５に示す、第２サイドカバー３１０ｅは、下部仕切板３３５の下方に配置されている複数のＬＥＤ素子３２０の周りをカバーするものである。第２サイドカバー３１０ｅは、遊技状態（例えばボーナス、大当り、ＡＲＴなど）を示すシートを内部に有するカバーであり、対応する遊技状態中に複数のＬＥＤ素子３２０が点灯することで、遊技状態を報知する。その際、点灯したＬＥＤによる光は下部仕切板３３５によりその上部へ向かうことを遮られ、カバー体の点灯のみの報知を実行可能とする。
【０１６５】
そして、第１サイドカバー３１０ａと、サイドレンズ３１０ｂと、サイドカラーレンズ３１０ｃと、サイド隠しレンズ３１０ｄとを組み合わせることにより、ケース状のカバー３１０が作成される。
【０１６６】
図２６は、図１０のＹＹ線断面図である。カバー３１０とＬＥＤ基板部３１２とを組み合わせることにより、第１開口３６０は、第１リフレクタ３１６ａと第２リフレクタ３３４との間の領域が対向する部分に配置され、第２右側導光体３１４ｂの導光方向に対してほぼ直交する方向に向けられる。第２開口３６１及び第３開口３６２は、第１開口３６０の左側に並んで配置される。
【０１６７】
また、第１サイドカバー３１０ａにおける第１開口３６０の右側の外周部３６３は、ベース壁面部３３２ｂ及び第２リフレクタ３３４の先端部に対向する。
第１サイドカバー３１０ａにおける第１開口３６０と第２開口３６１との境界部３６４は、第１リフレクタ３１６ａ及び左側導光体３１６ｂの先端部に対向する。
【０１６８】
また、岩肌状に形成された第１右側導光体３１４ａの表面、及び第２〜第５右側導光体３１４ｂ〜３１４ｅの先端面は、サイドレンズ３１０ｂの裏面に対向する。
サイドレンズ３１０ｂの裏面における第２右側導光体３１４ｂの先端面が対向する部位には、レーザー加工による凹部３６５が形成されている。なお、図示していないが、サイドレンズ３１０ｂの裏面における第３〜第５右側導光体３１４ｃ〜３１４ｅの先端面が対向する部位にも同様に、凹部３６５が形成されている。凹部３６５の底面は滑面として形成されており、カバー３１０がＬＥＤ基板部３１２に取り付けられた場合に、第２〜第５右側導光体３１４ｂ〜３１４ｅの先端部が凹部３６５内に遊嵌し、凹部３６５の底面と第２〜第５右側導光体３１４ｂ〜３１４ｅの先端面とが一律の距離を保った状態で維持される。また、凹部３６５の周囲は岩肌状の凹凸面に形成されている。
【０１６９】
また、上述したように側部発光演出ユニット３００Ｌの内部に、第１リフレクタ３１６ａと第２リフレクタ３３４と下部仕切板３３５とが配置されており、しかも、第１リフレクタ３１６ａ、第２リフレクタ３３４及び下部仕切板３３５が第１サイドカバー３１０ａ当接あるいは近接している。これらの部材は光を透過しないことから、光を遮断する仕切板として機能する。
【０１７０】
このため、側部発光演出ユニット３００Ｌの発光領域は４つに分けられる。すなわち、第２リフレクタ３３４より右側の第１発光領域と、第１リフレクタ３１６ａと第２リフレクタ３３４との間の第２発光領域と、第１リフレクタ３１６ａより左側の第３発光領域と、下部仕切板３３５より下側の第４発光領域に分けられる。第１発光領域にはサイドレンズ３１０ｂの領域が対応し、第２発光領域にはサイドカラーレンズ３１０ｃの領域が対応し、第３発光領域にはサイド隠しレンズ３１０ｄの領域が対応し、第４発光領域には第２サイドカバー３１０ｅの領域が対応する。
【０１７１】
第１発光領域には、第１〜第５グループのＬＥＤ素子３２０が配置されており、第２発光領域には、第７グループのＬＥＤ素子３２０が配置されており、第３発光領域には、第６グループのＬＥＤ素子３２０が配置されており、第４発光領域には、第８グループのＬＥＤ素子３２０が配置されている。そして、各ＬＥＤ素子３２０の発光制御を行うことにより、側部発光演出ユニット３００Ｌにおいて発光演出が実行される。
【０１７２】
次に、側部発光演出ユニット３００Ｌの発光態様について説明する。すべてのＬＥＤ素子３２０が消灯しているとき、カバー３１０が偏光性を有するために内部が視認困難となっている。このため、遊技者がＬＥＤ素子３２０の点灯時の点灯態様を予測することが困難になる。
第１グループのＬＥＤ素子３２０のみが発光した場合、カバー３１０に対して遠い位置にある第１右側導光体３１４ａが発光することから、第１右側導光体３１４ａからカバー３１０の裏面までの距離が長く、しかも、第１右側導光体３１４ａ及びカバー３１０の裏面が岩肌状であることから光が散乱しやすくなる。このため、サイドレンズ３１０ｂの領域全体が比較的弱い光で発光し、光によって岩肌がぼんやりと表示される。
【０１７３】
第２グループのＬＥＤ素子３２０のみが発光した場合、第２右側導光体３１４ｂの先端面が発光する。この時、第２右側導光体３１４ｂの先端面の周囲が暗いことから、第２右側導光体３１４ｂの先端面のライン形状がサイドレンズ３１０ｂに明瞭に映し出される。
第１グループと第２グループのＬＥＤ素子３２０が発光した場合には、サイドレンズ３１０ｂの領域全体が比較的弱い光で発光するとともに、サイドレンズ３１０ｂに対して近い位置にある第２右側導光体３１４ｂの先端面が発光する。ここで、第２右側導光体３１４ｂの先端面の明るさが周囲よりも明るいことから、サイドレンズ３１０ｂに第２右側導光体３１４ｂの先端面によるライン形状が映し出される。しかも、カバー３１０における、第２右側導光体３１４ｂの先端面との対向部は滑面であり、この滑面の周囲が岩肌状に形成されているため、ライン形状とその周囲のコントラスト差が明確に表示可能になる。
【０１７４】
第３グループ〜第５グループのＬＥＤ素子３２０が発光した場合にも、第２グループと同様に、サイドレンズ３１０ｂに第３〜第５右側導光体３１４ｃ〜３１４ｅの先端面の形状が映し出される。そして、第２グループ〜第５グループのＬＥＤ素子３２０の発光を切り替えることによって、第２〜第５右側導光体３１４ｂ〜３１４ｅの先端面の組み合わせによって形成される模様を変化させることが可能になり、演出効果を高めることが可能になる。
【０１７５】
図２７は、第１グループ〜第５グループのＬＥＤ素子３２０が発光した場合の一例を示す説明図であり、図２７に示すように、カバー３１０に、右側導光部３１４における第２〜第５右側導光体３１４ｂ〜３１４ｅの端面形状が映し出される。
【０１７６】
第６グループのＬＥＤ素子３２０が発光した場合には、サイド隠しレンズ３１０ｄの領域が発光する。この際、左側導光体３１６ｂは、表面が明るく発光するため、サイド隠しレンズ３１０ｄの全体が発光する。第７グループのＬＥＤ素子３２０が発光した場合には、第２リフレクタ３３４によって光が、第２右側導光体３１４ｂの導光方向に対してほぼ直交する方向に導かれる。これにより、サイドカラーレンズ３１０ｃの領域が発光する。なお、第８グループのＬＥＤ素子３２０が発光した場合には、第２サイドカバー３１０ｅの領域が発光する。
【０１７７】
このように構成された側部発光演出ユニット３００Ｌ、３００Ｒによれば、複数のＬＥＤ素子３２０を個別に、あるいはグループ毎に制御することにより、多様な発光演出を行うことが可能になる。また、右側導光部３１４や左側導光部３１６を用い、発光箇所をカバー３１０に近づけたり遠ざけたりすることにより、所定の模様をはっきりと表示したり、ぼんやり表示させたりすることが可能になり、更に多様な発光演出を行うことが可能になる。
【０１７８】
なお、上述した側部発光演出ユニット３００Ｌ、３００Ｒによれば、カバー３１０の裏面が岩肌状に形成されていることにより、ＬＥＤ素子３２０の非点灯時において、カバー３１０の内側が見えにくくなるが、それに限るものではない。例えば、上部発光演出ユニット２００の上ドレープ２１８と同様に、着色樹脂によって構成したり、表面を波状に形成したりしてもよい。要は、カバー３１０がＬＥＤ素子３２０の非点灯時においてカバー３１０の内側が見えにくくなる程度に偏光するのであれば、本実施形態のように透明樹脂に偏光パールを所定量含有させた形態や、カバー３１０にスモーク加工を施す等、偏光する方法について問うものではない。
【０１７９】
なお、第２実施形態に係るパチスロ機１の電気的構成について、図６〜図８に示す第１実施形態のパチスロ機１の電気的構成と基本的に同じであるが、次の点を更に備えている。第２実施形態に係るパチスロ機１のサウンドＩ／Ｏ基板７１は、スピーカ２０４Ｌ，２０４Ｒ，２３ＵＬ，２３ＵＲへの音声の出力を行う。また、ロムカートリッジ基板７６は、演出用の画像（映像）、音声、光（ＬＥＤ素子２２０，２３０）及び通信のデータを管理するための基板であり、プログラム記憶領域には、ＬＥＤ素子２２０，２３０等の光源による光の出力を制御するランプ制御タスクが記憶されている。
また、副制御部としての副制御回路１０１は、ＬＥＤ素子２２０，２３０の制御を行うものである。また、サブＣＰＵ１０２は、演出内容により指定されたサウンドデータに従ってＢＧＭ等の音をスピーカ２０４Ｌ，２０４Ｒ，２３ＵＬ，２３ＵＲにより出力させる。また、サブＣＰＵ１０２は、演出内容により指定されたランプデータに従ってＬＥＤ素子２２０，２３０の点灯及び消灯を制御する。
【０１８０】
以上説明したように構成された本実施形態によれば、サイドレンズ３１０ｂが偏光性を有するため、ＬＥＤ素子３２０の非点灯時は内部がＬＥＤ素子３２０の発光時よりも見え難く、第１〜第５グループのＬＥＤ素子３２０がともに発光したときには、サイドレンズ３１０ｂから遠い第１右側導光体３１４ａの端面の方がより淡く、サイドレンズ３１０ｂに近い第２〜第５右側導光体３１４ｂ〜３１４ｅの端面の方がより明るく発光させることができる。これにより、第２グループ〜第５グループのＬＥＤ素子３２０による発光演出と第１グループのＬＥＤ素子３２０による発光演出とにおいて、コントラスト差を大きく出すことが可能となる。また、第２グループ〜第５グループのＬＥＤ素子３２０のみを発光させることでスポット的な発光演出を行ったり、第１グループのＬＥＤ素子３２０のみを発光させることで内部をぼんやりと発光させるなど、多様で演出効果の高い発光演出が可能となる。
【０１８１】
また本実施形態によれば、第２リフレクタ３３４によって略直交に導かれる光を発光する第７グループのＬＥＤ素子３２０を含め、全てのＬＥＤ素子３２０を同一基板上、すなわちＬＥＤ基板３３０上に、発光方向が略同一方向となるように設けているため、ＬＥＤ基板３３０へのＬＥＤ素子３２０の実装をまとめて行うことが可能になり、生産コストの低減を図ることができる。また、第２リフレクタ３３４が、第７グループのＬＥＤ素子３２０の光を第２〜第５右側導光体３１４ｂ〜３１４ｅの導光方向に対して略直交する方向に導くため、ＬＥＤ素子３２０の発光方向に対して略直交方向に位置するサイドカラーレンズ３１０ｃを点灯させることが可能になり、より高い演出効果を得ることができる。しかも、第２リフレクタ３３４自体を、直交しない方向の光を入射させない仕切としたため、別途、右側導光部３１４の光が中央導光部３１５側に漏れないようにするための壁部を備える必要がなくなり、この分、コスト低減を図ることができる。
【０１８２】
また本実施形態によれば、サイドカラーレンズ３１０ｃの裏面を岩肌状に形成して偏光性をもたせ、第２〜第５右側導光体３１４ｂ〜３１４ｅの発光に対応する部分を滑面にするという加工をサイドカラーレンズ３１０ｃに施したため、第２グループ〜第５グループのＬＥＤ素子３２０による発光演出と第１グループによる発光演出とにおいて、よりコントラスト差を出すことが可能となる。
【０１８３】
以上、本発明の実施形態を説明したが、具体例を例示したに過ぎず、特に本発明を限定するものではない。すなわち、本発明の遊技機は、主に、透光性及び偏光性を有する第１の外装部と、当該第１の外装部の内側に設けられ、個別に発光可能な第１の発光手段及び第２の発光手段を含む複数の発光手段と、前記第１の発光手段の光を導光する、前記１の発光手段側から前記第１の外装部側に延設された第１の導光部と、前記第２の発光手段の光を導光する、前記２の発光手段側から前記第１の外装部側に延設された第２の導光部と、を備え、前記第１の導光部の端面と前記第１の外装部との距離は、前記第２の導光部の端面と前記第１の外装部との距離よりも短いことを特徴とするものであるが、第１の外装部、第１の発光手段、第２の発光手段、第１の導光部、第２の導光部等の具体的構成は、適宜設計変更可能である。
【０１８４】
また、本発明の遊技機についてパチスロ機を例に説明したが、本発明は、パチンコ機にも適用可能であり、更には、アーケードゲーム機にも適用可能である。
【０１８５】
［付記１］
［背景技術］
従来、複数の図柄がそれぞれの表面に配された複数のリールと、遊技メダルやコイン等（以下、「メダル等」と言う）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチ及びストップスイッチにより出力された信号に基づいて、ステッピングモータの動作を制御し、各リールの回転及びその停止を行うリール制御部と、を備え、スタートレバーが操作されたことを検出すると、乱数値に基づいて抽籤を行い、この抽籤の結果（以下、「内部当籤役」と言う）とストップボタンが操作されたことを検出したタイミングとに基づいてリールの回転の停止を行う、いわゆるパチスロと称される遊技機が知られている。
【０１８６】
このような遊技機では、演出としてスピーカを通じて音を発生させる。スピー力から発生される音は、遊技者の興味を惹かせるために、演出として重要度が増している。一方、遊技機に設けられるスピーカは、遊技者の接触等により破損するのを防止する必要がある。そこで、キャビネットに設けられた複数のスピーカ孔の裏側面にスピーカが配置された遊技機が提案されている（特許文献１参照）。特許文献１の遊技機によれば、複数のスピーカ孔が設けられたキャビネットの裏側面にスピーカを配置したので、スピーカが遊技者の接触等により破損するのを防止できる。
【０１８７】
［先行技術文献］
［特許文献］
［特許文献１］特開２０１４−１００１６１号公報
【０１８８】
［発明の概要］
［発明が解決しようとする課題］
しかしながら、キャビネットの裏側面にスピーカを配置すると、スピーカから発生される音の放音効率が低下するという問題がある。遊技機が設置される遊技場は、多数の遊技機が設置され、これらの遊技機からそれぞれ大音量の音が発生されている。このため、放音効率が悪いと、演出として発生されたスピーカからの音を遊技者が聞きにくくなり、演出効果が低下してしまう。
【０１８９】
そこで、本発明は、このような問題点を解決し、放音効率を向上できる遊技機を提供することを目的とする。
【０１９０】
［課題を解決するための手段］
本発明は、以下のような遊技機を提供する。本発明の遊技機（例えば、後述のパチスロ機１等）は、
音を発生するスピーカ（例えば、後述のスピーカ２３ＴＬ，２３ＴＲ等）の前面側に保護部（例えば、後述のスピーカカバー１６０等）が配置された遊技機であって、前記保護部は、複数の放音孔（例えば、後述の放音孔１６２等）を備え、前記放音孔は、前面側から背面側に向かって窄まる形状に形成されている拡散部（例えば、後述の放音孔１６３等）を有することを特徴とする。
【０１９１】
このような構成の遊技機は、音を発生するスピーカの前面側に保護部が配置されている。保護部は、複数の放音孔を備える。放音孔は、前面側から背面側に向かって窄まる形状に形成されている拡散部を有する。
【０１９２】
これにより、スピーカから発生された音は、放音孔の背面側における拡散部の窄まった部分で、音圧が高まり、前面側に向かって拡散する。よって、放音孔に拡散部を設けない場合に比べ、効率よく音を遠くまで伝播できる。したがって、放音効率を向上できる遊技機を提供できる。
【０１９３】
また、遊技機は、遊技者や店員が頻繁に移動するため、非常にほこりが発生しやすいところで設置されている。また、遊技機に近い位置に、遊技者が座っており、遊技者は、たばこを吸ったり、飲み物を飲んだり、あるいは食べ物を食べるなど、細かなゴミが散乱するケースも多い。このような場合、ゴミやほこりなどの異物が、保護部の放音孔からスピーカ側に侵入しやすく、これによって、放音効率が低下し、演出効果が落ちてしまう。しかしながら、本発明によれば、放音孔の拡散部が背面側に向かって窄まる形状に形成されているので、遊技者に面する前面側からスピーカが配された背面側に、異物が侵入するのを防止可能となり、放音効率が低下するのを防止できる。
【０１９４】
本発明の遊技機は、前記構成に加えて、前記放音孔は、前記拡散部の背面側に配されており、前記拡散部と連通し、背面側から前面側に向かって窄まる形状に形成されている集音部（例えば、後述の集音部１６４等）を有することを特徴とする。
【０１９５】
これにより、スピーカから発生された音は、放音孔の集音部において集音され、拡散部の窄まった部分に向かって音圧が高まり、前面側に向かって拡散する。よって、放音孔に拡散部及び集音部を設けない場合に比べ、より効率よく音を遠くまで伝播できる。したがって、放音効率をより向上できる遊技機を提供できる。
【０１９６】
本発明の遊技機は、前記構成に加えて、前記放音孔の断面形状において、前記拡散部の前面側への開口寸法（例えば、後述の開口寸法ａ１等）が、前記集音部の背面側への開口寸法（例えば、後述の開口寸法ａ２等）よりも大きいことを特徴とする。
【０１９７】
これにより、スピーカから発生された音は、放音孔の集音部において集音され、前面側から外部へより広がりながら拡散する。したがって、放音効率をより向上できる遊技機を提供できる。
【０１９８】
本発明の遊技機は、前記構成に加えて、前記放音孔の断面形状において、前記拡散部の前面側への開口角度（例えば、後述の開口角度ｂ１等）が、前記集音部の背面側への開口角度（例えば、後述の開口角度ｂ２等）よりも大きいことを特徴とする。
【０１９９】
これにより、スピーカから発生された音は、放音孔の集音部において、より音圧が高まり、拡散部において、前面側から外部へより広がりながら拡散する。したがって、放音効率をより向上できる遊技機を提供できる。
【０２００】
本発明の遊技機は、前記構成に加えて、前記保護部は、前面側に膨出する曲面形状に形成されていることを特徴とする。
【０２０１】
これにより、保護部を平面形状に形成した場合に比べ、保護部の前面側の面積を広くできるので、より多くの放音孔を設けることが可能となる。したがって、放音効率をより向上できる遊技機を提供できる。
【０２０２】
また、保護部を前面側に膨出する曲面形状に形成したことで、保護部の前面側からの衝撃に対する耐久性を、保護部を平面形状に形成した場合に比べ向上できる。
【０２０３】
［発明の効果］
本発明によれば、放音効率を向上できる遊技機を提供できる。
【０２０４】
［付記２］
［背景技術］
【０２０５】
従来、パチンコ機、パチスロ機と称される遊技機が知られている。パチスロ機においては、メダルやコイン等の遊技媒体が投入され、スタートレバーが操作（以下、「開始操作」という。）されると、複数の図柄がそれぞれの表面に配された複数のリールの回転が開始し、ストップボタンが操作されると、複数のリールの回転が停止し、その結果表示された図柄の組合せに応じてメダルやコインが払い出される。パチンコ遊技機においては、遊技者が発射装置により遊技媒体である遊技球を遊技領域に発射し、遊技領域に設けられた入賞口等に遊技球が入賞すると、所定の数の遊技球が払い出される。遊技者は、所持する遊技媒体を増やすことを目的として遊技を継続して行う。
【０２０６】
パチンコ機、パチスロ機と称される遊技機においては、遊技者が対向する遊技機本体の前面側の周囲に発光装置を配置し、発光装置の発光態様を変化させることによって遊技の雰囲気を盛り上げることが一般的に行われている。また、発光装置による演出効果を高めるために、発光装置に対して様々な工夫が施されている。
【０２０７】
例えば、特許文献１に記載された技術によれば、光反射体と、光反射体の前方に配置される第１の発光体と、光反射体の後方に配置される第２の発光体と、を備え、光反射体は、前記第１の発光体が発する光を反射するとともに、第２の発光体が発する光を光反射体の前方に通過させる。光反射体は、所定の間隔をおいて連続配置されたスリット状の隙間部によって構成される光通過孔を備えており、反射面によって第１の発光体が発する光を反射し、光通過孔によって第２の発光体が発する光を光反射体の前方に通過させる、という技術について記載されている。
［先行技術文献］
［特許文献］
【０２０８】
［特許文献１］  特開２００４−１７４０１６号公報
【０２０９】
［発明の概要］
［発明が解決しようとする課題］
しかしながら、特許文献１に記載された技術においては、光反射体の後方に配置される第２の発光体から発光させた場合に、その光が隙間部を通って外部に放出される。この際、遊技者の視点の位置によっては、遊技者が第２の発光体を直接視認することが可能になり、遊技者の視界に第２の発光体が入ることによって、眩しく感じる場合がある。このように、発光装置による演出効果が損なわれるおそれがある。
【０２１０】
本発明は、上述の問題点に鑑みてなされたものであり、演出効果の高い発光演出が可能な遊技機を提供することを目的とする。
【０２１１】
［課題を解決するための手段］
前記目的を達成するため、本発明は、次に記載する構成を備えている。
【０２１２】
遊技機本体から前方側に延出し、遊技者に視認可能な第１の部材（例えば、上ドレープ２１８）と、
当該第１の部材に対して所定の隙間を開けて配置され、前記第１の部材によって少なくとも一部が隠される第２の部材（例えば、下ドレープ２１６）と、
第１の発光部（例えば、ＬＥＤ素子２２０ａ）と、
当該第１の発光部からの光を導光する導光面を有し、前記隙間に光を出射させる第１の導光部（例えば、第１内側導光部２３０ａ、第１外側導光部２３０ｂ）と、を備え、
前記第１の部材は、透光性を有する有色の材質で構成されるとともに、前記第２の部材との間に、前記第１の導光部における前記導光面が位置し、当該導光面の少なくとも一部を正面視においてその前方が覆われるように、前記第１の導光部の前方に配置されることを特徴とする遊技機。
【０２１３】
（１）によれば、第１の発光部からの光は、この第１の発光部と対向配置された第１の導光部によって導光され、第１の部材と第２の部材との所定の間隙に出射される。第１の導光部に導光される光は、その導光面において視認されるが、第１の部材によって、導光面の少なくとも一部が正面視においてその前方が覆われるため、そのすべてが視認される状態ではない。
このように、第１の発光部からの光は、第１の導光部を介して間接的に導光されるとともに、第１の部材が第１の導光面の少なくとも一部を正面視においてその前方を覆うため、遊技者は、発光箇所が見え難くなり、第１の発光部からの光を眩しく感じることによる演出効果の低減を抑えることが可能になる。また、第１の部材が、透光性を有する有色の材質で構成されているため、導光部からの光を遮るかあるいは散乱させる一方で、導光体として作用する。このため、第１の部材全体が淡く光っているように演出することが可能になり、演出効果の高い発光演出が可能な遊技機を提供することが可能になる。
【０２１４】
（２）  （１）において、前記第１の導光部は、前記隙間を形成する隙間領域に亘って複数配置され、
前記導光面は、正面視した場合に所定方向に延伸し、
複数の前記第１の導光部における前記第１の部材の長手方向の長さ寸法の和は、前記隙間領域における前記長手方向の長さ寸法よりも短い寸法であることを特徴とする遊技機。
【０２１５】
（２）によれば、第１の導光部を、第１の部材の長手方向全体に設けなくても高い演出効果を発揮することが可能になる。これにより、第１の導光部に掛かるコストの低減を図ることが可能になる。
【０２１６】
（３）  （１）、（２）において、前記第１の発光部が配設される発光基板（例えば、左ＬＥＤ基板２０６Ｌ、右ＬＥＤ基板２０６Ｒ）と、
当該発光基板をカバーする、遊技者に視認可能なカバー部材（例えば、上カバー２１０）と、を備え、
当該カバー部材には、開口部（例えば、小孔２１０ｄ）が穿設されており、
前記発光基板には、前記開口部に対して発光する第２の発光部（例えば、ＬＥＤ素子２２０ｂ）が更に配設されることを特徴とする遊技機。
【０２１７】
（３）によれば、第１の発光部による演出に加えて、カバー部材に穿設された開口部を用いた第２の発光部による演出を行うことが可能になり、その分演出の幅が大きくなって演出効果を高めることが可能になる。また、第１の発光部と第２の発光部とが同一の発光基板に配設されるため、発光基板に掛かるコストの低減を図ることが可能になる。更に、発光基板を固定することにより、第１の発光部と第２の発光部との位置決めが同時に行われるため、組立に掛かるコストの低減を図ることが可能になる。
【０２１８】
（４）  （３）において、前記カバー部材は、複数の前記開口部を有し、
前記第２の発光部は、前記発光基板に、複数の前記開口部に対応して複数配設され、
複数の前記開口部のそれぞれに対し、前記第２の発光部の光を導光する第２の導光部を更に備え、
前記第２の導光部は、１のベース（例えば、透明ベース２３２）と、当該１のベースから複数の前記開口部に延出する複数の延出部（例えば、前方延出部２３４）と、を有し、
複数の前記第２の発光部は、前記複数の延出部の後方に配置され、個別に発光可能であることを特徴とする遊技機。
【０２１９】
（４）によれば、１のベースを規定の位置に固定することによって、複数の延出部の先端部を複数の開口部にそれぞれ対向させることが可能になる。このように、複数の第２の発光部をそれぞれ個別に発光可能とした場合でも、複数の延出部の先端部の位置決めが容易に可能になり、その分、取付コストの低減を図ることができる。
【０２２０】
［発明の効果］
本発明によれば、演出効果の高い発光演出が可能な遊技機を提供することが可能になる。
【符号の説明】
【０２２１】
１  パチスロ機
２  外装体
２００  上部発光演出ユニット
２０２  ベース板
２０２ａ  固定部
２０２ｂ  孔部
２０２ｄ  小穴
２０２ｅ  固定部
２０４Ｌ  スピーカ
２０４Ｒ  スピーカ
２０６Ｌ  左ＬＥＤ基板
２０６Ｒ  右ＬＥＤ基板
２０８  導光部
２０８Ｌ  左導光部
２０８Ｒ  右導光部
２１０  上カバー
２１０ｃ  スリット部
２１０ｄ  小孔
２１６  下ドレープ
２１６ｃ  スリット部
２１８  上ドレープ
２２０、２２０ａ、２２０ｂ、２３０  ＬＥＤ素子
２３０ａ  第１内側導光部
２３０ｂ  第１外側導光部
２３０ｃ  第２内側導光部
２３０ｄ  第２外側導光部
２３２、２３２ａ、２３２ｂ、２３２ｃ、２３２ｄ  透明ベース
２３４、２３４ａ、２３４ｂ、２３４ｃ、２３４ｄ  前方延出部
２３６、２３６ａ、２３６ｂ、２３６ｃ、２３６ｄ  後方延出部
３００、３００Ｌ、３００Ｒ  側部発光演出ユニット
３１０  カバー
３１０ａ  第１サイドカバー
３１０ｂ  サイドレンズ
３１０ｃ  サイドカラーレンズ
３１０ｄ  サイド隠しレンズ
３１０ｅ  第２サイドカバー
３１２  ＬＥＤ基板部
３１４  右側導光部
３１４ａ  第１右側導光体
３１４ｂ  第２右側導光体
３１４ｃ  第３右側導光体
３１４ｄ  第４右側導光体
３１４ｅ  第３右側導光体
３１５  中央導光部
３１６  左側導光部
３１６ａ  第１リフレクタ
３１６ｂ  左側導光体
３２０  ＬＥＤ素子
３３０  ＬＥＤ基板
３３２  ベース板
３３２ａ  平板部
３３２ｂ  ベース壁面部
３３２ｃ  開口
３３４  第２リフレクタ
３３５  下部仕切板
３４０ｂ、３４０ｃ、３４０ｄ、３４０ｅ  導光壁面部
３６０  第１開口
３６１  第２開口
３６２  第３開口
３６５  凹部
【図１】
2018011814.tif 000003
【図２】
2018011814.tif 000004
【図３】
2018011814.tif 000005
【図４】
2018011814.tif 000006
【図５】
2018011814.tif 000007
【図６】
2018011814.tif 000008
【図７】
2018011814.tif 000009
【図８】
2018011814.tif 000010
【図９】
2018011814.tif 000011
【図１０】
2018011814.tif 000012
【図１１】
2018011814.tif 000013
【図１２】
2018011814.tif 000014
【図１３】
2018011814.tif 000015
【図１４】
2018011814.tif 000016
【図１５】
2018011814.tif 000017
【図１６】
2018011814.tif 000018
【図１７】
2018011814.tif 000019
【図１８】
2018011814.tif 000020
【図１９】
2018011814.tif 000021
【図２０】
2018011814.tif 000022
【図２１】
2018011814.tif 000023
【図２２】
2018011814.tif 000024
【図２３】
2018011814.tif 000025
【図２４】
2018011814.tif 000026
【図２５】
2018011814.tif 000027
【図２６】
2018011814.tif 000028
【図２７】
2018011814.tif 000029